(57)【特許請求の範囲】
【請求項１】
通信処理の中断後に、ベースユニットと遠隔ユニットとの間の無線通信を再設定する方法であって、前記通信処理の中断に先立ち、前記ベースユニットが前記遠隔ユニットに対して前記ベースユニットおよび前記遠隔ユニットの間で使用される通信チャンネルのテーブルを送信し、前記ベースユニットが第１クロック信号値を有する第１クロック信号を発生するための第１手段と前記遠隔ユニットに対して前記第１クロック信号値を送信するための手段を備えており、前記遠隔ユニットが第２クロック信号値を有する第２クロック信号を発生するための第２手段を備えており、前記通信処理の中断の場合に、
前記遠隔ユニットにおける前記第２手段により発生された前記第２クロック信号のカウントを継続し、前記第２クロック信号値を前記通信処理の中断に先立って前記遠隔ユニットにより受信された前記第１クロック信号値とを同期化する段階と、
前記遠隔ユニットにより所定の関数を前記遠隔ユニットにおいて前記第２クロック信号の値に適用して前記テーブルにおける記入を得る段階と、
前記遠隔ユニットにより前記テーブルにおける記入に付随する通信チャンネルを選択する段階と、
前記ベースユニットにおける前記第１手段により発生された前記第１クロック信号のカウントを継続する段階と、
前記ベースユニットにより同一の関数を前記ベースユニットにおいて前記第１クロック信号の値に適用して前記テーブルにおける記入を得る段階と、
前記ベースユニットにより前記テーブルにおける記入に付随する通信チャンネルを選択する段階とを含み、これにより、
前記テーブルの記入に付随する通信チャンネル上に前記通信処理が再設定されることを特徴とする方法。
【請求項２】
各通信チャンネルが前記一のチャンネル内の複数の周波数チャンネルとＣＤＭＡコードにより特徴付けられることを特徴とする請求項１に記載の方法。  
【請求項３】
ベースユニットと遠隔ユニットとの間の通信を行う無線通信システムであって、
前記ベースユニットにおいて、前記遠隔ユニットに対して前記ベースユニットと前記遠隔ユニットとの間で使用される通信チャンネルのテーブルを送信する手段と、
前記遠隔ユニットにおいて、前記ベースユニットにより送信された前記テーブルを受信する手段と、
前記遠隔ユニットにおいて、受信された前記テーブルを記憶する手段と、
前記ベースユニットにおいて、クロック信号を発生する手段と、
前記ベースユニットにおいて、クロック信号値を前記遠隔ユニットに送信する手段と、
前記ベースユニットと前記遠隔ユニットとの間の通信リンクにおける中断の場合に、前記ベースユニットにおいて、所定の関数を前記ベースユニットにおける前記クロック信号値に適用して前記テーブル内の記入を得る手段と、
前記ベースユニットにおいて、前記テーブル内の記入に付随する通信チャンネルを選択する手段と、
前記遠隔ユニットにおいて、前記クロック信号値を受信する手段と、
前記遠隔ユニットにおいて、前記クロック信号値に同期化した内部クロック信号を発生する手段と、
前記ベースユニットと前記遠隔ユニットとの間の通信リンクにおける中断の場合に、前記遠隔ユニットにおいて、同一の関数を前記遠隔ユニットにおける前記内部クロック信号の値に適用して前記テーブル内の記入を得る手段と、
前記遠隔ユニットにおいて、前記テーブル内の記入に付随する通信チャンネルを選択する手段とを備え、これにより、
前記テーブル内の記入に付随する通信チャンネル上に通信処理が再設定されることを特徴とするシステム。
【請求項４】
各通信チャンネルが前記一のチャンネル内の複数の周波数チャンネルとＣＤＭＡコードにより特徴付けられることを特徴とする請求項３に記載のシステム。
【請求項５】
ベースユニットと遠隔ユニットとの間の無線通信リンクを設定する方法において、
前記ベースユニットにおいて、複数の周波数チャンネルの一を選択する段階と、
前記遠隔ユニットにおいて、前記周波数チャンネルの一における第１選択時間内に同期信号を周期的に送信する段階と、
前記遠隔ユニットにおいて、前記同期信号を検出するために、所定の時間に１回、前記複数の周波数チャンネルを走査する段階と、
前記遠隔ユニットにおいて、前記第１選択時間と異なる第２選択時間内に、前記同期信号の検出に応じて前記周波数チャンネルの一において第１応答信号を送信する段階と、
前記ベースユニットにおいて、前記第１および第２選択時間と異なる第３選択時間内に、前記周波数チャンネルの一において所定のコードによりコード化した通信信号のチャンネルのテーブルとクロック信号値とを送信する段階と、
前記遠隔ユニットにおいて、前記第３時間内に、前記テーブル信号と前記クロック信号値とを受信する段階と、
前記遠隔ユニットにおいて、前記第３時間内に、前記テーブル信号と前記クロック信号値とを復号して前記通信チャンネルのテーブルを得て、前記遠隔ユニットの内部に発生したクロック信号を前記受信されたクロック信号値に同期化する段階と、
前記遠隔ユニットにおいて、前記テーブルを記憶する段階と、
前記遠隔ユニットと前記ベースユニットとの間の通信を行う段階
とを含み、前記通信リンクの中断の場合に、
前記遠隔ユニットにおいて、前記ユニット内部に発生するクロック信号によりクロック信号のカウントを継続し、
前記遠隔ユニットにおいて、前記遠隔ユニットにおけるクロック信号の値に所定の関数を適用して前記テーブル内の記入を得て、
前記遠隔ユニットにおいて、前記テーブル内の記入に付随する通信チャンネルを選択し、
前記ベースユニットにおいて、クロック信号のカウントを継続し、
前記ベースユニットにおいて、前記ベースユニットにおけるクロック信号の値に同一の関数を適用して前記テーブル内の記入を得て、
前記ベースユニットにおいて、前記テーブル内の記入に付随する通信チャンネルを選択することにより、
前記テーブル内の記入に付随する通信チャンネル上に通信処理が再設定されることを特徴とする方法。
【請求項６】
各通信チャンネルが前記一のチャンネル内の複数の周波数チャンネルとＣＤＭＡコードにより特徴付けられることを特徴とする請求項５に記載の方法。
【請求項７】
ベースユニットと遠隔ユニットとの間の無線通信リンクを設定する装置において、
前記ベースユニットにおいて、複数の周波数チャンネルの一を選択する手段と、
前記ベースユニットにより選択された周波数チャンネルの一における第１選択時間内に同期信号を周期的に送信する手段と、
前記遠隔ユニットにおいて、前記同期信号を検出するために、所定の時間に１回、前記複数の周波数チャンネルを走査する手段と、
前記遠隔ユニットにおいて、前記第１選択時間と異なる第２選択時間内に、前記同期信号の検出に応じて前記周波数チャンネルの一において第１応答信号を送信する手段と、
前記ベースユニットにおいて、前記第１および第２選択時間と異なる第３選択時間内に、前記周波数チャンネルの一において所定のコードによりコード化した通信信号のチャンネルのテーブルとクロック信号値とを送信する手段と、
前記遠隔ユニットにおいて、前記第３時間内に、前記テーブル信号と前記クロック信号値とを受信する手段と、
前記遠隔ユニットにおいて、前記テーブル信号とクロック信号値とを復号して前記通信チャンネルのテーブルを得て、さらに、前記遠隔ユニットの内部に発生したクロック信号を前記受信された前記クロック信号値に同期化する手段と、
前記ベースユニットと前記遠隔ユニットとの間の通信リンクにおける中断の場合に、前記ベースユニットにおいて、前記ベースユニットにおける前記クロック信号の値に所定の関数を適用して前記テーブル内の記入を得る手段と、
前記ベースユニットにおいて、前記テーブル内の記入に付随する通信チャンネルを選択する手段と、
前記遠隔ユニットにおいて、内部クロック信号を発生する手段と、
前記ベースユニットと前記遠隔ユニットとの間の通信リンクにおける中断の場合に、前記遠隔ユニットにおいて、前記遠隔ユニットにおける前記内部クロック信号の値に同一の関数を適用して前記テーブル内の記入を得る手段と、
前記遠隔ユニットにおいて、前記テーブル内の記入に付随する通信チャンネルを選択する手段とを備え、これにより、
前記テーブル内の記入に付随する通信チャンネル上に通信処理が再設定されることを特徴とする装置。
【請求項８】
各通信チャンネルが前記一のチャンネル内の複数の周波数チャンネルとＣＤＭＡコードにより特徴付けられることを特徴とする請求項７に記載の装置。
【発明の詳細な説明】
【技術分野】
【０００１】
本発明は２種類のデジタル信号をコード化する方法に関し、特に、デジタル無線電話におけるベースユニットによる雑音を含むチャンネルを介しての遠隔ユニットへの送信のためのデジタル制御信号およびデジタルデータをコード化する方法に関する。
【背景技術】
【０００２】
ベースユニットと一以上の遠隔ユニットとの間の無線通信は当業界において周知であり、周波数分割多元接続方式（ＦＤＭＡ）はその周知の方法のひとつである。このＦＤＭＡ方式においては、有効な電磁通信スペクトルが複数の周波数チャンネルに分割され、ベースユニットと遠隔ユニットとの間の通信が前記周波数チャンネルの一つを介して行われ、さらに、前記ベースユニットと他の遠隔ユニットとの間の通信が他の周波数チャンネルを介して行われる。
【０００３】
また、時分割多元接続方式（ＴＤＭＡ）も当業界において周知である。このＴＤＭＡ方式においては、ベースユニットと第１の遠隔ユニットとの間の送信が時間の第１の「部分（ｓｌｉｃｅ）」において行われ、さらに、前記ベースユニットと第２の遠隔ユニットとの送信が、前記第１「部分」とは異なる、時間の第２の「部分」において行われる。
【０００４】
さらに、コード分割多元接続方式（ＣＤＭＡ）においては、ベースユニットと一以上の遠隔ユニットとの間の通信が所定の周波数領域におけるスペクトラム拡散送信を介して行われ、前記周波数領域においては、特異的な疑似ランダム（ＰＮ）コードがベースユニットと第１の遠隔ユニットとの間の通信を識別し、さらに、異なるコードがベースユニットと別の遠隔ユニットとの間の通信を識別する。なお、このＣＤＭＡ方式には、ダイレクトシーケンス、周波数ホッピングおよび時間ホッピング等の幾つかの種類がある。このダイレクトシーケンス拡散スペクトラム方式は送信機において低レートのデータの流れを高レートのデータの流れにコード化する。その後、受信機において前記高レートのデータ流は低レートのデータ流に復号される。
【０００５】
なお、通信処理に先立つ遠隔ユニットとベースユニットとの間のプロトコルの設定はモデム通信技術において周知である。したがって、例えば、パケット通信においては、通信処理に先立って、Ｘ．２５プロトコルにしたがって遠隔ユニットおよびベースユニットのパケットサイズが定められる。さらに、このようなモデム通信技法においては、異なる送信定格容量を有するモデムが通信処理に先立って上記両ユニットに適応可能な最大速度を決定する。
【発明の開示】
【発明が解決しようとする課題】
【０００６】
従来技術においては、送信パワーは、送信されるパワーと相手側により予期される受信パワーとのア  プリオリな知見に基づいて調節できると考えられていた。しかしながら、このような技術は固定したチャンネルの減衰を仮定している点で制限がある。
【０００７】
また、従来技術において、フィードバックループを用いることによりダイナミックなパワー制御をコマンド調節することも知られている。しかしながら、ＴＤＭＡシステムの場合、計測時間、送信時間および作動時間から成る遅延が大きな能率低下につながる。さらに、パワー制御のために割り当てられることが必要なメッセージレートの量が大きくなる場合があり、容量損失を引き起こす。
【０００８】
本発明は、予期しない程に大きな干渉信号等により、ベースユニットと遠隔ユニットとの間の通信リンクが影響を受けた場合、ベースユニットと遠隔ユニットとの間の通信リンクを再設定する手法を確立することを目的とする。
【課題を解決するための手段】
【０００９】
本発明においては、２種類のデジタルデータ信号をコード化する方法を開示する。この２種類のデジタルデータ信号は雑音を含むチャンネル上に送信される第１の信号と第２の信号とから成り、各信号はビットストリームにより特徴付けられる。この場合、第１信号からのＮビットが特異的なＭビットの第３信号に写像され、ＭはＮよりも大きく、かつ、Ｍビット信号中の「１」の数はＭ／２よりも小さい。Ｍビット第３信号は第２信号からのビットが「０」である場合に送信される一方、Ｍビット第３信号の補数が前記第２信号からのビットが「１」である場合に送信される。
【００１０】
１．雑音を含むチャンネル上の送信のために、２種類のデジタルデータ信号、すなわち第１および第２信号をコード化する方法において、各信号がビットの流れにより特徴付けられており、さらに、
前記第１信号のＮビットをＭビット（Ｍ＞Ｎ）の第３信号に写像し、前記Ｍビット第３信号における「１」の数がＭ／２よりも小さく、かつ、前記Ｍビット第３信号が補数を有する段階と、
前記第２信号からのビットが「０」である場合に、前記第１信号のＮビットから写像されるＭビット第３信号を送信し、また、前記第２信号からのビットが「１」である場合に、前記第１信号のＮビットから写像されるＭビット第３信号の補数を送信する段階とを具備する。
【００１１】
２．さらに、前記Ｍビット第３信号を送信処理に先立ってエラー補正コードによりコード化する段階を含む。
【００１２】
３．前記送信段階がさらに、
複数の連結されたＭビット第３信号を送信する段階を含み、隣接するＭビット第３信号の各々が前記第１信号の隣接するＮビット部分から写像される。
【００１３】
４．さらに、前記複数のＭビット第３信号を送信処理に先立ってエラー補正コードによりコード化する段階を含む。
【００１４】
５．ビットの流れにより特徴付けられるデジタルデータ信号を第１デジタル信号および第２デジタル信号に復号する方法において、前記復号段階が、
前記デジタルデータ信号からＭビットを受け取る段階と、
前記Ｍビットにおける「１」の数がＭ／２よりも小さい場合に前記第２デジタル信号として「０」を出力し、また、前記Ｍビットにおける「１」の数がＭ／２よりも大きい場合に前記第２デジタル信号として「１」を出力する段階と、
前記受け取られたＭビットを前記第１デジタル信号としてのＮビットに写像する段階とを具備する。
【００１５】
６．前記写像段階がさらに、前記受け取られたＭビットが前記Ｎビットに写像不可能である場合に、エラー信号を出力する。
【００１６】
７．雑音を含むチャンネル上に、２種類のデジタルデータ信号、すなわち第１信号および第２信号を送受信する方法において、各信号がビットの流れにより特徴付けられており、さらに、
前記第１信号のＮビットをＭビット（Ｍ＞Ｎ）の第３信号に写像し、前記Ｍビット第３信号における「１」の数がＭ／２よりも小さく、かつ、前記Ｍビット第３信号が補数を有する段階と、
前記第２信号からのビットが「０」である場合に、前記第１信号のＮビットから写像されるＭビット第３信号を前記チャンネル上に送信し、また、前記第２信号からのビットが「１」である場合に、前記第１信号のＮビットから写像される軽Ｍビット第３信号の補数を前記チャンネル上に送信する段階と、
前記チャンネルからＭビットを受け取る段階と、
前記Ｍビットにおける「１」の数がＭ／２よりも小さい場合に前記第２信号として「０」を出力し、また、前記Ｍビットにおける「１」の数がＭ／２よりも大きい場合に前記第２信号として「１」を出力する段階と、
前記受け取られたＭビットを前記第１信号としてのＮビットに写像する段階とを具備する。
【００１７】
８．前記写像段階がさらに、前記受け取られたＭビットが前記Ｎビットに写像不可能である場合に、エラー信号を出力する。
【００１８】
９．ベースユニットと遠隔ユニットとを備えるデジタル無線電話を動作する方法において、この方法が前記ベースユニットと遠隔ユニットとの間を無線で通信するためのものであり、前記ベースユニットがデジタル制御信号とデジタルデータ信号とをチャンネル上に送信し、各信号がビットの流れにより特徴付けられ、さらに、
前記デジタルデータ信号のＮビットをＭビット（Ｍ＞Ｎ）送信信号に写像し、前記Ｍビット送信信号における「１」の数がＭ／２よりも小さい段階と、
前記デジタル制御信号からのビットが「０」である場合に、前記デジタルデータ信号のＮビットから写像されるＭビット送信信号を送信し、また、前記デジタル制御信号からのビットが「１」である場合に、前記デジタルデータ信号のＮビットから写像されるＭビット送信信号の補数を送信する段階とを具備する。
【００１９】
１０．さらに、前記Ｍビット送信信号を送信処理に先立ってエラー補正コードによりコード化する段階を含む。
【００２０】
１１．前記送信段階がさらに、
複数の連結されたＭビット送信信号を送信する段階を含み、隣接するＭビット第３信号の各々が前記デジタルデータ信号の隣接するＮビット部分から写像される。
【００２１】
１２．さらに、前記複数のＭビット送信信号を送信処理に先立ってエラー補正コードによりコード化する段階を含む。
【００２２】
１３．前記遠隔ユニットが、受信したビット流により特徴付けられるデジタルデータ信号を第１デジタル信号および第２デジタル信号に復号し、前記復号段階が、
前記デジタルデータ信号からＭビットを受け取る段階と、
前記Ｍビットにおける「１」の数がＭ／２よりも小さい場合に第２デジタル信号として「０」を出力し、また、前記Ｍビットにおける「１」の数がＭ／２よりも大きい場合に第２デジタル信号として「１」を出力する段階と、
前記受け取られたＭビットを前記第１デジタル信号としてのＮビットに写像する段階とを具備する。
【００２３】
１４．前記写像段階がさらに、前記受け取られたＭビットが前記Ｎビットに写像不可能である場合に、エラー信号を出力する。
【００２４】
１５．第１の機能的能力の組を有するベースユニットと第２の機能的能力の組を有する遠隔ユニットがあり、前記ベースユニットが前記遠隔ユニットの機能的能力のアプリオリな知識を持たない場合に、これらのユニット間の共通選択周波数チャンネル上の全重信無線通信リンクを設定する方法において、
前記ベースユニットにより、前記共通選択周波数チャンネルにおいて、所定の第１選択時間内に、同期信号を周期的に送信する段階と、  前記同期信号を検出するために前記遠隔ユニットにより走査する段階と、
前記第１選択時間と異なる第２選択時間内に、前記同期信号の検出に応じて、前記遠隔ユニットにより前記共通選択周波数チャンネル内に第１応答信号を送信する段階と、
前記第１および第２選択時間とは異なる第３選択時間内に、前記共通選択周波数チャンネルにおいて前記遠隔ユニットにより、第１コードによりコード化した第１制御信号を送信する段階とを含み、前記第１制御信号が前記第２の機能的能力の組を含み、さらに、
前記ベースユニットにより前記第１制御信号を受け取る段階と、
前記ベースユニットにより前記第１制御信号を復号処理して前記第２の機能的能力の組を得る段階と、
前記ベースユニットにより前記第２の組を前記第１の組に比較し、それらにおける共通の機能的能力の組を決定する段階と、
前記第１、第２および第３選択時間とは異なる第４選択時間内に、前記共通選択周波数チャンネルにおいて前記ベースユニットにより、前記第１コードによりコード化した第２制御信号を送信する段階であって、前記第２制御信号が前記共通の機能的能力の組を含み、さらに、
前記共通の組からの所定の機能的能力に基づいて前記ベースユニットと前記遠隔ユニットとの間の通信処理を行う段階と、を具備する。
【００２５】
１６．さらに、前記第１、第２、第３および第４時間間隔とは異なる第５時間間隔内に、前記遠隔ユニットからの第１応答信号に応じて、前記ベースユニットにより承認信号を前記選択周波数チャンネル内において送信する段階を含む。
【００２６】
１７．前記第１コードがＣＤＭＡコードである。
【００２７】
１８．前記同期信号が、前記第１コードとは異なる第２のコードにより符号化される。
【００２８】
１９．前記第２コードがＣＤＭＡコードである。
【００２９】
２０．さらに、前記選択周波数チャンネルとして前記ベースユニットにより複数の周波数チャンネルの一を選択する段階を含み、かつ、前記走査段階がさらに前記複数の周波数チャンネルを所定時間に１回走査する段階を含む。
【００３０】
２１．第１の機能的能力の組を有するベースユニットと第２の機能的能力の組を有する遠隔ユニットがあり、前記ベースユニットが前記遠隔ユニットの機能的能力についてのアプリオリな知識を持たない場合に、これらのユニット間の共通選択周波数チャンネル上の全重信無線通信リンクを設定する装置において、
前記ベースユニットにより、前記共通選択周波数チャンネルにおいて、所定の第１選択時間内に、同期信号を周期的に送信する手段と、
前記遠隔ユニットにより前記同期信号を検出する手段と、
前記第１選択時間と異なる第２選択時間内に、前記同期信号の検出に応じて、前記遠隔ユニットにより前記共通選択周波数チャンネル内に第１応答信号を送信する手段と、
前記第１および第２選択時間とは異なる第３選択時間内に、前記共通選択周波数チャンネルにおいて前記遠隔ユニットにより、前記第２の機能的能力の組を含むとともに第１コードによりコード化された第１制御信号を送信する手段と、
前記ベースユニットにより前記第１制御信号を受け取る手段と、
前記ベースユニットにより前記第１制御信号を復号処理して前記第２の機能的能力の組を得る手段と、
前記ベースユニットにより前記第２の組を前記第１の組に比較し、それらにおける共通の機能的能力の組を決定する手段と、
前記第１、第２および第３選択時間とは異なる第４選択時間内に、前記共通選択周波数チャンネルにおいて前記ベースユニットにより、前記共通の機能的能力の組を含むとともに前記第１コードによりコード化された第２制御信号を送信する手段と、
前記共通の組からの所定の機能的能力に基づいて前記ベースユニットと前記遠隔ユニットとの間の通信処理を行う手段と、を具備する。
【００３１】
２２．さらに、前記第１、第２、第３および第４時間間隔とは異なる第５時間間隔内に、前記遠隔ユニットからの第１応答信号に応じて、前記ベースユニットにより承認信号を前記選択周波数チャンネル内において送信する手段を含む。
【００３２】
２３．前記第１コードがＣＤＭＡコードである。
【００３３】
２４．前記同期信号が、前記第１コードとは異なる第２のコードにより符号化される。
【００３４】
２５．前記第２コードがＣＤＭＡコードである。
【００３５】
２６．さらに、前記選択周波数チャンネルとして前記ベースユニットにより複数の周波数チャンネルの一を選択する手段を含む。
【００３６】
２７．前記検出手段がさらに前記複数の周波数チャンネルを所定時間に１回走査する手段を含む。
【００３７】
２８．遠隔通信装置により、所定の第１時間に所定の周波数チャンネルにおいて、ベース通信装置に対して送信される遠隔送信信号のパワーを制御するオープンループ方式で制御する方法において、前記ベース装置が前記第１時間と異なる所定の第２時間に前記周波数チャンネルにおいて前記遠隔装置に対してベース送信信号を送信し、さらに、
前記遠隔装置により前記周波数チャンネルにおける前記ベース送信信号を受け取る段階と、
前記遠隔装置により受け取られた前記ベース送信信号のパワーを計測する段階と、
パワー＝Ａ＋（Ｂ−Ｃ）、の式に従って前記周波数チャンネルにおける前記遠隔送信信号の送信パワーを制御する段階とを具備し、
Ａが前記ベース装置により受け取られる遠隔送信信号の所望のパワーを示し、  Ｂが前記ベース送信信号のパワーを示し、
Ｃが前記遠隔装置により受け取られる際のベース送信信号の計測されたパワーを示している。
【００３８】
２９．前記パラメータＡおよびＢが前記ベース通信装置により前記遠隔通信装置に送信される。
【００３９】
３０．遠隔通信装置により、所定の第１時間に所定の周波数チャンネルにおいて、ベース通信装置に対して送信される遠隔送信信号のパワーをオープンループ方式で制御する装置において、前記ベース装置が前記第１時間と異なる所定の第２時間に前記周波数チャンネルにおいて前記遠隔装置に対してベース送信信号を送信し、さらに、
前記遠隔装置により前記周波数チャンネルにおける前記ベース送信信号を受け取る手段と、
前記遠隔装置により受け取られた前記ベース送信信号のパワーを計測する手段と、
パワー＝Ａ＋（Ｂ−Ｃ）、の式に従って前記周波数チャンネルにおける前記遠隔送信信号の送信パワーを制御する手段とを具備し、
Ａが前記ベース装置により受け取られる遠隔送信信号の所望のパワーを示し、  Ｂが前記ベース送信信号のパワーを示し、
Ｃが前記遠隔装置により受け取られる際のベース送信信号の計測されたパワーを示している。  
３１．所定の時間内に、所定の選択周波数チャンネルにおいて、遠隔送信信号をＣＤＭＡを用いてベースユニットに送信する手段と、
前記所定時間と異なる別の時間内に、前記選択周波数チャンネルにおいて、前記ベースユニットからのベース送信信号をＣＤＭＡを用いて受け取る手段と、
前記ベース送信信号のパワーを計測する手段と、  パワー＝Ａ＋（Ｂ−Ｃ）、の式に従って前記遠隔送信信号の送信パワーを制御する手段とを具備し、
Ａが前記ベース装置により受け取られる遠隔送信信号の所望のパワーを示し、  Ｂが前記ベース送信信号のパワーを示し、
Ｃが前記遠隔装置により受け取られる際のベース送信信号の計測されたパワーを示している。
【００４０】
３２．前記送信手段がさらに、前記所定時間の一部分において制御信号を送信し、かつ、前記所定時間の他の部分においてＣＤＭＡによりコード化したデータ信号を送信する手段を含む。
【００４１】
３３．前記受信手段がさらに前記ベースユニットから同期信号を受け取る。
【００４２】
３４．前記受信手段がさらに、
前記ベース送信信号を検出する手段と、
前記ベース送信信号をＣＤＭＡを用いて復号して復号ベース送信信号を生成する手段とを具備する。
【００４３】
３５．前記送信手段が前記所定時間内に第１制御信号と第１データ信号とを送信し、前記受信手段が別の時間内に第２制御信号および第２データ信号を受け取る。
【００４４】
３６．前記遠隔ユニットがオフ状態、待機状態およびオン状態の３状態の内の一を採ることが可能である。
【００４５】
３７．前記遠隔ユニットが待機状態である時に、前記第１制御信号のみを送信し、かつ、前記同期信号および第２制御信号のみを受信する。
【００４６】
３８．前記選択周波数チャンネルが複数の周波数チャンネルからの一として選択される。
【００４７】
３９．さらに、前記ベースユニットからの要求に応じて別の周波数に変更するために、送信を別の周波数チャンネルに変更する手段を含む。
【００４８】
４０．ベースユニットと遠隔ユニットとの間の無線通信リンクを設定する方法において、
前記ベースユニットにより、所定の選択周波数チャンネルにおいて、所定の第１選択時間内に、同期信号を周期的に送信する段階と、
前記同期信号を前記遠隔ユニットにより走査する段階と、
前記第１選択時間と異なる第２選択時間内に、前記同期信号の検出に応じて、前記遠隔ユニットにより、前記選択周波数チャンネル内に第１コードによりコード化した第１応答信号を送信する段階と、
前記第１および第２選択時間と異なる第３選択時間内に、前記選択周波数チャンネルにおいて前記ベースユニットにより、前記第１コードによりコード化されるとともに前記ベースユニットと遠隔ユニットとの間の通信処理において使用される第２コードを含む第１制御信号を、送信する段階と、
前記第３時間内に遠隔ユニットにより前記第１制御信号を受け取る段階と、
前記第１、第２および第３選択時間と異なる第４選択時間内に、前記ベースユニットにより、前記第２コードによりコード化したデータ信号を送信し、かつ、前記第１、第２、第３および第４時間と異なる第５時間内に、前記遠隔ユニットにより、前記第２コードによりコード化した別のデータ信号を送信することによって、前記選択周波数チャンネルにおいて、前記ベースユニットと遠隔ユニットとの間の通信処理を行う段階とを具備する。
【００４９】
４１．前記同期信号がＣＤＭＡコードとしてコード化される。
【００５０】
４２．前記第１コードがＣＤＭＡコードである。
【００５１】
４３．前記第２コードがＣＤＭＡコードである。
【００５２】
４４．さらに、前記ベースユニットにより複数の周波数チャンネルから前記選択周波数チャンネルを選択する段階を含む。
【００５３】
４５．前記走査段階がさらに、
前記同期信号に対応して、所定時間に１回、前記複数の周波数チャンネルを走査する段階を含む。
【００５４】
４６．ベースユニットと遠隔ユニットとの間の無線通信リンクを設定する装置において、
前記ベースユニットにより選択された所定の選択周波数チャンネルにおいて、所定の第１選択時間内に、同期信号を周期的に送信する手段と、
前記同期信号を前記遠隔ユニットにより検出する手段と、
前記第１選択時間と異なる第２選択時間内に、前記クロック信号の検出に応じて、前記遠隔ユニットにより、前記選択周波数チャンネル内に第１コードによりコード化した第１応答信号を送信する手段と、
前記第１および第２選択時間と異なる第３選択時間内に、前記選択周波数チャンネルにおいて前記ベースユニットにより、前記第１コードによりコード化した第１制御信号を送信する手段と、を具備し、ここで前記第１コード化制御信号が前記ベースユニットと遠隔ユニットとの間の通信処理において使用される第２コードを含むもので、さらに、
前記遠隔ユニットにより前記第１制御信号を受け取る手段と、
第３時間内に、前記遠隔ユニットにより前記第１制御信号を復号する手段と、  前記第１、第２および第３選択時間と異なる第４選択時間内に、前記ベースユニットにより、前記第２コードによりコード化したデータ信号を送信し、かつ、前記第１、第２、第３および第４時間と異なる第５時間内に、前記遠隔ユニットにより、前記第２コードによりコード化した別のデータ信号を送信することによって、前記選択周波数チャンネルにおいて、前記ベースユニットと遠隔ユニットとの間の通信処理を行う手段とを具備する。
【００５５】
４７．前記同期信号がＣＤＭＡコードとしてコード化される。
【００５６】
４８．前記第１コードがＣＤＭＡコードである。
【００５７】
４９．前記第２コードがＣＤＭＡコードである。
【００５８】
５０．さらに、複数の周波数チャンネルから前記選択周波数チャンネルを選択する手段を含む。
【００５９】
５１．前記検出手段がさらに、
前記同期信号の検出に対応して、前記遠隔ユニットにより、所定時間に１回、前記複数の周波数チャンネルを走査する手段を含む。
【００６０】
５２．ベースユニットと遠隔ユニットとの間の通信処理を行う拡散スペクトル無線通信システムにおいて、
複数の選択された周波数チャンネルの一において前記ベースユニットと遠隔ユニットとの間の送信をＣＤＭＡを用いて行う手段から成り、前記ベースユニットが所定の時間内において送信し、また、前記遠隔ユニットが前記所定時間と異なる別の時間内において送信し、さらに、
前記周波数チャンネルの一における干渉に応じて、前記周波数チャンネルの一を前記周波数チャンネルと異なる別の周波数チャンネルに変更する手段から成り、その結果、前記ベースユニットと遠隔ユニットとの間の通信処理が前記別の周波数チャンネル上において行われる。
【００６１】
５３．前記送信手段が、
前記所定時間の第１部分および前記別の時間の第１部分において前記ベースユニットと遠隔ユニットとの間に制御信号を送信し、かつ、前記所定時間の第２部分および前記別の時間の第２部分において前記ベースユニットと遠隔ユニットとの間にデータ信号を送信する手段を含む。
【００６２】
５４．前記送信手段がさらに、
前記所定時間内に前記ベースユニットから前記遠隔ユニットに対して同期信号を送信する手段を含む。
【００６３】
５５．ベースユニットと遠隔ユニットとの間の通信処理を行う拡散スペクトル無線通信方法において、
複数の選択された周波数チャンネルの一において前記ベースユニットと遠隔ユニットとの間の送信をＣＤＭＡを用いて行う段階から成り、前記ベースユニットが所定の時間内において送信し、また、前記遠隔ユニットが前記所定時間と異なる別の時間内において送信し、さらに、
前記周波数チャンネルの一における干渉に応じて、前記周波数チャンネルの一を前記周波数チャンネルと異なる別の周波数チャンネルに変更する段階から成り、このことにより、前記ベースユニットと遠隔ユニットとの間の通信処理が前記別の周波数チャンネル上において行われる。
【００６４】
５６．前記所定時間の第１部分および前記別の時間の第１部分において制御信号が送信され、かつ、前記所定時間の第２部分および前記別の時間の第２部分においてデータ信号が送信される。
【００６５】
５７．さらに、前記所定時間内に前記ベースユニットから前記遠隔ユニットに対して同期信号を送信する段階を含む。
【００６６】
５８．遠隔ユニットと拡散スペクトル無線通信するためのベースユニットにおいて、
前記遠隔ユニットに対して、所定時間内に、複数の選択された周波数チャンネルの一においてＣＤＭＡを用いて送信する手段と、  前記所定時間と異なる別の時間内に、前記複数の選択された周波数チャンネルの一においてＣＤＭＡを用いて前記遠隔ユニットからの送信を受信する手段と、  前記周波数チャンネルの一における干渉に応じて、別の周波数チャンネルに送信を変更する手段とを具備し、このことにより、前記遠隔ユニットとの通信が前記別の周波数チャンネル上において行われる。
【００６７】
５９．さらに、前記所定時間の第１の部分において制御信号を送信し、前記所定時間の第２の部分においてＣＤＭＡによりコード化されたデータ信号を送信する手段を含む。
【００６８】
６０．前記制御信号がさらに同期信号および共通の制御信号を含む。
【００６９】
６１．前記受信手段がさらに、
前記遠隔ユニットからの送信を検出して検出信号を生成する手段と、
前記検出信号をＣＤＭＡを用いて復号して復号化送信信号を生成する手段とを具備する。
【００７０】
６２．ベースユニットと拡散スペクトル無線通信するための遠隔ユニットにおいて、
前記ベースユニットに対して、所定時間内に、複数の選択された周波数チャンネルの一においてＣＤＭＡを用いて送信する手段と、
前記所定時間と異なる別の時間内に、前記複数の選択された周波数チャンネルの一においてＣＤＭＡを用いて前記ベースユニットからの送信を受信する手段と、
前記ベースユニットからの別の周波数への変更の要求に応じて、送信を別の周波数チャンネルに変更する手段とを具備する。
【００７１】
６３．前記送信手段がさらに、
前記所定時間の第１の部分において同期信号を送信し、前記所定時間の第２の部分においてＣＤＭＡによりコード化されたデータ信号を送信する手段を含む。
【００７２】
６４．前記送信手段がさらに、
前記ベースユニットから同期信号を受信する手段を含む。
【００７３】
６５．前記受信手段がさらに、
前記ベースユニットからの送信を検出して検出信号を生成する手段と、
前記検出信号をＣＤＭＡを用いて復号して復号化送信信号を生成する手段とを具備する。
【００７４】
６６．ベースユニットと遠隔ユニットとの間の通信を行う拡散スペクトル無線通信システムにおいて、
前記ベースユニットが、
所定時間においてＣＤＭＡを用いて同期信号と、第１制御信号と、第１データ信号とを前記遠隔ユニットに対して送信する手段と、
前記所定時間と異なる別の時間においてＣＤＭＡを用いて第２制御信号と第２データ信号とを前記遠隔ユニットから受信する手段とから成り、
前記遠隔ユニットが、
前記所定時間においてＣＤＭＡを用いて前記同期信号と、第１制御信号と、第１データ信号とを前記ベースユニットから受信する手段と、
前記別の時間においてＣＤＭＡを用いて前記第２制御信号と第２データ信号とを前記ベースユニットに対して送信する手段とを具備する。
【００７５】
６７．前記ベースユニットが複数の同類の遠隔ユニットと通信する。
【００７６】
６８．前記第１制御信号が前記複数の同類の遠隔ユニットにより受信される。
【００７７】
６９．前記第１データ信号がＣＤＭＡコード化され、かつ、前記複数の遠隔ユニットの一により受信される。
【００７８】
７０．前記遠隔ユニットがオフ状態、待機状態およびオン状態の３状態のいずれかを採り得る。
【００７９】
７１．前記遠隔ユニットが待機状態にある時に前記第２制御信号のみを送信しかつ前記同期信号および第１制御信号のみを受信する。
【００８０】
７２．遠隔ユニットと拡散スペクトル通信するベースユニットにおいて、
所定時間においてＣＤＭＡを用いて同期信号と、第１制御信号と、第１データ信号とを前記遠隔ユニットに対して送信する手段と、
前記所定時間と異なる別の時間においてＣＤＭＡを用いて第２制御信号と第２データ信号とを前記遠隔ユニットから受信する手段とを具備する。
【００８１】
７３．前記ベースユニットが複数の同類の遠隔ユニットと通信する。
【００８２】
７４．前記第１データ信号がＣＤＭＡコード化される。
【００８３】
７５．ベースユニットと拡散スペクトル通信する遠隔ユニットにおいて、
所定時間においてＣＤＭＡを用いて同期信号と、第１制御信号と、第１データ信号とを前記ベースユニットから受信する手段と、
前記所定時間と異なる別の時間においてＣＤＭＡを用いて第２制御信号と第２データ信号とを前記ベースユニットに対して送信する手段とを具備する。
【００８４】
７６．前記遠隔ユニットがオフ状態、待機状態およびオン状態の３状態のいずれかを採り得る。
【００８５】
７７．前記遠隔ユニットが待機状態にある時に前記第２制御信号のみを送信しかつ前記同期信号および第１制御信号のみを受信する。
【００８６】
７８．通信処理の中断後に、ベースユニットと遠隔ユニットとの間の無線通信を再設定する方法において、前記通信の中断に先立ち、前記ベースユニットが遠隔ユニットに対して前記ベースユニットおよび遠隔ユニットの間で使用される通信チャンネルのテーブルを送信し、前記ベースユニットが第１クロック信号値を有する第１クロック信号を発生するための第１手段と前記遠隔ユニットに対して前記第１クロック信号値を送信するための手段を備えており、前記遠隔ユニットが第２クロック信号値を有する第２クロック信号を発生するための第２手段を備えており、通信処理の中断の場合に、
前記遠隔ユニットにおける第２手段により発生された第２クロック信号のカウントを継続し、前記第２クロック信号値を前記通信の中断に先立って前記遠隔ユニットにより受信された第１クロック信号値とを同期化する段階と、
前記遠隔ユニットにより所定の関数を前記遠隔ユニットにおいて前記第２クロック信号の値に適用して前記テーブルにおける記入を得る段階と、
前記遠隔ユニットにより前記テーブルにおける記入に付随する通信チャンネルを選択する段階と、
前記ベースユニットにおける第１手段により発生された第１クロック信号のカウントを継続する段階と、
前記ベースユニットにより同一の関数を前記ベースユニットにおいて前記第１クロック信号の値に適用して前記テーブルにおける記入を得る段階と、
前記ベースユニットにより前記テーブルにおける記入に付随する通信チャンネルを選択する段階とから成り、これにより、
前記テーブルの記入に付随する通信チャンネル上に通信処理が再設定される。
【００８７】
７９．各通信チャンネルが前記一のチャンネル内の複数の周波数チャンネルとＣＤＭＡコードにより特徴付けられる。
【００８８】
８０．ベースユニットと遠隔ユニットとの間の通信を行う無線通信システムにおいて、
前記ベースユニットにおいて、前記遠隔ユニットに対して前記ベースユニットと遠隔ユニットとの間で使用される通信チャンネルのテーブルを送信する手段と、
前記遠隔ユニットにおいて、前記ベースユニットにより送信されたテーブルを受信する手段と、
前記遠隔ユニットにおいて、受信されたテーブルを記憶する手段と、
前記ベースユニットにおいて、クロック信号を発生する手段と、
前記ベースユニットにおいて、前記クロック信号値を遠隔ユニットに送信する手段と、
前記ベースユニットと遠隔ユニットとの間の通信リンクにおける中断の場合に、前記ベースユニットにおいて、所定の関数を前記ベースユニットにおけるクロック信号の値に適用して前記テーブル内の記入を得る手段と、
前記ベースユニットにおいて、前記テーブル内の記入に付随する通信チャンネルを選択する手段と、
前記遠隔ユニットにおいて、前記クロック信号値を受信する手段と、
前記遠隔ユニットにおいて、前記クロック信号値に同期化した内部クロック信号を発生する手段と、
前記ベースユニットと遠隔ユニットとの間の通信リンクにおける中断の場合に、前記遠隔ユニットにおいて、同一の関数を前記遠隔ユニットにおける内部クロック信号の値に適用して前記テーブル内の記入を得る手段と、
前記遠隔ユニットにおいて、前記テーブル内の記入に付随する通信チャンネルを選択する手段とから成り、これにより、
前記テーブル内の記入に付随する通信チャンネル上に通信処理が再設定される。
【００８９】
８１．各通信チャンネルが前記一のチャンネル内の複数の周波数チャンネルとＣＤＭＡコードにより特徴付けられる。
【００９０】
８２．ベースユニットと遠隔ユニットとの間の無線通信リンクを設定する方法において、  前記ベースユニットにおいて、複数の周波数チャンネルの一を選択する段階と、
前記遠隔ユニットにおいて、前記周波数チャンネルの一における第１選択時間内に同期信号を周期的に送信する段階と、
前記遠隔ユニットにおいて、前記同期信号を検出するために、所定の時間に１回、前記複数の周波数チャンネルを走査する段階と、
前記遠隔ユニットにおいて、前記第１選択時間と異なる第２選択時間内に、前記同期信号の検出に応じて前記周波数チャンネルの一において第１応答信号を送信する段階と、
前記ベースユニットにおいて、前記第１および第２選択時間と異なる第３選択時間内に、前記周波数チャンネルの一において所定のコードによりコード化した通信信号のチャンネルのテーブルとクロック信号値とを送信する段階と、
前記遠隔ユニットにおいて、前記第３時間内に、前記テーブル信号とクロック信号値とを受信する段階と、
前記遠隔ユニットにおいて、前記第３時間内に、前記テーブル信号とクロック信号値とを復号して前記通信チャンネルのテーブルを得て、さらに、前記遠隔ユニットの内部に発生したクロック信号を前記受信されたクロック信号値に同期化する段階と、
前記遠隔ユニットにおいて、前記テーブルを記憶する段階と、
前記遠隔ユニットと前記ベースユニットとの間の通信を行う段階とから成り、  前記通信リンクの中断の場合に、
前記遠隔ユニットにおいて、前記ユニット内部に発生するクロック信号によりクロック信号のカウントを継続し、
前記遠隔ユニットにおいて、前記遠隔ユニットにおけるクロック信号の値に所定の関数を適用して前記テーブル内の記入を得て、
前記遠隔ユニットにおいて、前記テーブル内の記入に付随する通信チャンネルを選択し、
前記ベースユニットにおいて、クロック信号のカウントを継続し、
前記ベースユニットにおいて、前記ベースユニットにおけるクロック信号の値に同一の関数を適用して前記テーブル内の記入を得て、
前記ベースユニットにおいて、前記テーブル内の記入に付随する通信チャンネルを選択することにより、
前記テーブル内の記入に付随する通信チャンネル上に通信処理が再設定される。
【００９１】
８３．各通信チャンネルが前記一のチャンネル内の複数の周波数チャンネルとＣＤＭＡコードにより特徴付けられる。
【００９２】
８４．ベースユニットと遠隔ユニットとの間の無線通信リンクを設定する装置において、
前記ベースユニットにおいて、複数の周波数チャンネルの一を選択する手段と、
前記ベースユニットにより選択された周波数チャンネルの一における第１選択時間内に同期信号を周期的に送信する手段と、
前記遠隔ユニットにおいて、前記同期信号を検出するために、所定の時間に１回、前記複数の周波数チャンネルを走査する手段と、
前記遠隔ユニットにおいて、前記第１選択時間と異なる第２選択時間内に、前記同期信号の検出に応じて前記周波数チャンネルの一において第１応答信号を送信する手段と、
前記ベースユニットにおいて、前記第１および第２選択時間と異なる第３選択時間内に、前記周波数チャンネルの一において所定のコードによりコード化した通信信号のチャンネルのテーブルとクロック信号値とを送信する手段と、
前記遠隔ユニットにおいて、前記第３時間内に、前記テーブル信号とクロック信号値とを受信する手段と、
前記遠隔ユニットにおいて、前記テーブル信号とクロック信号値とを復号して前記通信チャンネルのテーブルを得て、さらに、前記遠隔ユニットの内部に発生したクロック信号を前記受信されたクロック信号値に同期化する手段と、
前記ベースユニットと遠隔ユニットとの間の通信リンクにおける中断の場合に、前記ベースユニットにおいて、前記ベースユニットにおける前記クロック信号の値に所定の関数を適用して前記テーブル内の記入を得る手段と、
前記ベースユニットにおいて、前記テーブル内の記入に付随する通信チャンネルを選択する手段と、
前記遠隔ユニットにおいて、内部クロック信号を発生する手段と、
前記ベースユニットと遠隔ユニットとの間の通信リンクにおける中断の場合に、前記遠隔ユニットにおいて、前記遠隔ユニットにおける内部クロック信号の値に同一の関数を適用して前記テーブル内の記入を得る手段と、
前記遠隔ユニットにおいて、前記テーブル内の記入に付随する通信チャンネルを選択する手段とから成り、これにより、
前記テーブル内の記入に付随する通信チャンネル上に通信処理が再設定される。
【００９３】
８５．各通信チャンネルが前記一のチャンネル内の複数の周波数チャンネルとＣＤＭＡコードにより特徴付けられる。
【００９４】
８６．前記変更手段がさらに、
前記ベースユニットにおいて、前記遠隔ユニットからの前記周波数チャンネルの一における信号の干渉を検出するための手段と、
前記ベースユニットにおいて、前記遠隔ユニットに対して信号メッセージを送信して他の周波数チャンネルに移動するための手段と、
前記遠隔ユニットにおいて、他の周波数チャンネルに変更する手段とを具備する。  
８７．前記信号メッセージが同期化情報を含む。
【００９５】
８８．前記変更段階がさらに、
前記ベースユニットにおいて、前記遠隔ユニットからの前記周波数チャンネルの一における信号の干渉を検出する段階と、
前記ベースユニットにおいて、前記遠隔ユニットに対して信号メッセージを送信して他の周波数チャンネルに移動する段階と、
前記遠隔ユニットにおいて、他の周波数チャンネルに変更する段階とを具備する。
【００９６】
８９．前記信号メッセージがさらに同期化情報を含む。
【００９７】
９０．前記変更手段がさらに、
前記遠隔ユニットから選択された前記周波数チャンネルの一における信号の干渉を検出する手段と、
前記遠隔ユニットに対して信号メッセージを送信して他の周波数チャンネルに移動する手段と、
他の周波数チャンネルに変更する手段とを具備する。
【００９８】
９１．前記信号メッセージが同期化情報を含む。  
【発明の効果】
【００９９】
本発明によれば、予期しない程に大きな干渉信号等により、ベースユニットと遠隔ユニットとの間の通信リンクが影響を受けた場合、ベースユニットと遠隔ユニットとの間の通信リンクを再設定する手法を確立できる。
【発明を実施するための最良の形態】
【０１００】
第１図はベースユニット１０を示すブロック図である。このベースユニット１０は第２図示の一以上の遠隔ユニット４０と通信するべく用いられる。好ましい実施態様においては、ベースユニット１０および遠隔ユニット４０は総括的にデジタル無線電話８から構成される。而して、ベースユニット１０はＲＪ１１ジャック等の公共電話ネットワーク（ＰＳＴＮ）またはＩＳＤＮインターフェイスとの接続のためのインターフェイス１２を備えている。
【０１０１】
このインターフェイス１２のＰＳＴＮ部分はオン／オフフック、多重音調発生等のＰＳＴＮ式電話動作を行う。このインターフェイス１２により受信された信号はインターフェイスおよびマルチプレクサ１８に送られ、次いで、アプリケーションコントローラ２２に送られる。
【０１０２】
また、インターフェイス１２のＩＳＤＮ部分はＩＳＤＮメッセージを対応するオン／オフフックエコー、ＤＴＭＦ音調エコー、ダイアル音調等の信号や呼出し等の信号メッセージに翻訳する。
【０１０３】
すなわち、ベースユニット１０は配線により電話切替ネットワークに接続される一方で、一以上の遠隔ユニット４０と無線連絡する。また、ベースユニット１０はスピーカホーン端末１４から構成される。而して、このスピーカホーン端末１４により、ベースユニット１０はＰＳＴＮ／ＩＳＤＮインターフェイス１２を介して電話ネットワークと直接連絡することもでき、また、一以上の遠隔ユニット４０と無線通信することも可能である。加えて、ベースユニット１０はＰＳＴＮ／ＩＳＤＮインターフェイス１２による電話ネットワークとの連絡や一以上の遠隔ユニット４０との無線通信のためのデジタルデータを受け取るデータ端末インターフェイス１６から構成される。而して、例えば、コンピュータ等の供給源からのデータを、ＰＳＴＮ／ＩＳＤＮインターフェイス１２を介しての電話ネットワークによる送信や受信、あるいは、一以上の遠隔ユニット４０との無線送信や受信のために、前記電話端末インターフェイス１６を介してベースユニット１０に供給することも可能である。
【０１０４】
これらのＰＳＴＮ／ＩＳＤＮインターフェイス１２、スピーカホーン端末１４およびデータ端末インターフェイス１６はすべてインターフェイスおよびマルチプレクサ１８に接続している。このインターフェイスおよびマルチプレクサ１８は、第６図に詳細に示されているが、スピーカホーン端末１４およびデータ端末１６から受け取った種々の信号についてのインターフェイスとして作用して、これらの信号をＰＳＴＮ／ＩＳＤＮインターフェイス１２を介して電話ネットワーク上に送ったり、一以上の遠隔ユニット４０に送信するべく処理したりする。
【０１０５】
さらに、ベースユニット１０はライト、スイッチおよびキーパッドから成るパネル２０から構成される。このパネル２０からの信号はアプリケーションコントローラ２２に送られる一方で、アプリケーションコントローラの信号がパネル２０に供給される。なお、アプリケーションコントローラ２２は第７図において詳細に示されている。
【０１０６】
このアプリケーションコントローラ２２はインターフェイスおよびマルチプレクサ１８とのインターフェイス処理を行う。すなわち、アプリケーションコントローラ２２の機能はシステム８の使用者とのインターフェイスを実行すること、パネル２０から入力された使用者の命令を判読すること、および、使用者に対してシステム８から応答を送ることである。
【０１０７】
インターフェイスおよびマルチプレクサ１８およびアプリケーションコントローラ２２は共にベースユニットトランシーバ３０と連携している。このベースユニットトランシーバ３０はシステムクロック３５、プロトコルおよびコントロールユニット３２、待機および同期ユニット３４、ＲＦ／ＩＦアナログユニット３６および少なくとも一組みの音声／データプロセッサ３８ａおよびその付属ベースバンド処理ユニット２８ａから構成される。ベースユニット１０においては、このベースユニット１０と同時に作動する一以上の遠隔ユニット４０と同数の音声／データプロセッサ３８ａおよびその付属ベースバンド処理ユニット２８ａが備えられている。したがって、ベースユニット１０が３個の遠隔ユニット４０と同時に作動している場合、トランシーバ３０の中には３個の音声／データプロセッサ３８とそれぞれに付属するベースバンド処理ユニット２８が存する。
【０１０８】
各音声／データプロセッサ３８はその付属ベースバンドユニット２８と接続しており、また、インターフェイスおよびマルチプレクサ１８やプロトコルおよびコントロールユニット３２とも接続している。また、ベースバンド処理ユニット２８はＲＦ／ＩＦアナログユニット３６およびプロトコルおよびコントロールユニット３２と接続している。
【０１０９】
さらに、ＲＦ／ＩＦアナログユニット３６は待機および同期ユニット３４および一対のアンテナ２６ａ、２６ｂと接続しており、これらアンテナ２６ａおよび２６ｂは各々送信および受信の動作を行う。
【０１１０】
さらに、プロトコルおよびコントロールユニット３２はアプリケーションコントローラ２２に接続されている。
【０１１１】
一方、遠隔ユニット４０は受話器およびデータを受け取るためのインターフェイス端末から成る受話器／端末４２から構成されている。この受話器端末４２は上記ベースユニットのインターフェイスおよびマルチプレクサ１８と同様のインターフェイスおよびマルチプレクサ４４に接続している。遠隔ユニットはまた受話器パネル４６から構成されており、この受話器パネル４６はライトおよびスイッチを含む。この受話器パネル４６はベースユニット１０におけるアプリケーションコントローラ２２と同様のアプリケーションコントローラ２２に接続している。さらに、ベースユニット１０と同様に、アプリケーションコントローラ２２はインターフェイスおよびマルチプレクサ４４に接続されている。
【０１１２】
また、遠隔ユニット４０は遠隔ユニットトランシーバ５０を含む。この遠隔ユニットトランシーバ５０はベースユニットのトランシーバ３０と同様にプロトコルおよびコントロールユニット５２から構成されており、このユニット５２もまたベースユニット１０のプロトコルおよびコントロールユニット３２と同様に構成されている。
【０１１３】
さらに、前記遠隔ユニットトランシーバ５０は待機および同期ユニット３４から構成されており、このユニット３４はベースユニット１０の待機および同期ユニット３４と同一である。また、遠隔ユニットトランシーバ５０はＲＦ／ＩＦアナログユニット５６から成り、このユニット５６もまたベースユニットトランシーバ３０のＲＦ／ＩＦアナログユニット３６と同様であり、送受信アンテナ５８ａおよび受信アンテナ５８ｂに接続されている。
【０１１４】
遠隔ユニットトランシーバ５０はさらに単一の音声データプロセッサ３８ａおよびその付属のベースバンド処理ユニット２８ａを含む。これらの音声／データプロセッサ３８およびその付属ベースバンド処理ユニット２８ａはベースユニットトランシーバ３０における音声／データプロセッサ３８ａおよびその付属ベースバンド処理ユニット２８ａと同一である。
【０１１５】
而して、遠隔ユニットトランシーバ５０はプロトコルおよびコントロールユニット５２、待機および同期ユニット３４、ＲＦ／ＩＦアナログユニット５６、音声／データプロセッサ３８ａおよびベースバンド処理ユニット２８ａから構成される。さらに、これらユニット間の接続はベースユニットトランシーバ３０における各対応成分間の接続と同一である。すなわち、プロトコルおよびコントロールユニット５２はアプリケーションコントローラ２２と音声／データプロセッサ３８ａおよびベースバンド処理ユニット２８ａ、さらに、待機および同期ユニット３４に接続している。また、音声／データプロセッサ３８ａはベースバンド処理ユニット２８ａとインターフェイスおよびマルチプレクサ４４とに接続している。また、ベースバンド処理ユニット２８ａはＲＦ／ＩＦアナログユニット５６に接続しており、このＲＦ／ＩＦアナログユニット５６は待機および同期ユニット３４とアンテナ５８ａおよび５８ｂとに接続されている。
【０１１６】
第３図はベースユニットトランシーバ３０のＲＦ／ＩＦアナログユニット３６の詳細なブロック図である。このＲＦ／ＩＦアナログユニット３６の機能はアンテナ２６ａおよび２６ｂにより送信または受信される信号の周波数を無線周波数から中間周波数に変換することである。加えて、ユニット３６は送信信号の送信パワーを制御するパワー制御能力を有する。さらに、ユニット３６はベースバンド信号の同相および直交位相成分を変調および復調する。
【０１１７】
ユニット３６は二組の送受信用アンテナ２６ａおよび２６ｂから構成されているように示されている。これら二本のアンテナ２６（ａおよびｂ）とこれに適応する二組の回路を使用することにより、他のアンテナが遠隔ユニット４０に必要な信号を送受信するような「デッドスポット」に一のアンテナが位置する場合を保証している。アンテナ２６の一により受信された信号はＲＦフィルタおよび低ノイズ増幅器（ＬＮＡ）７０ａに送られ、この増幅器によりフィルタ処理され増幅される。次いで、前記ＲＦフィルタおよびＬＮＡ７０ａの出力はＲＦ−ＩＦダウンコンバータ７２ａに供給される。このＲＦ−ＩＦダウンコンバータ７２ａの機能は受信されたＲＦ信号を中間周波数信号に変換することである。このようなＲＦ−ＩＦからの変換はＲＦ−ＩＦダウンコンバータ７２ａに供給される差周波数に依存する。さらに、このような差周波数は周波数選択入力信号に依存して周波数合成器７４により発生される。
【０１１８】
その後、ＲＦ−ＩＦダウンコンバータ７２ａから中間周波数がＩＦフィルタおよび増幅器７６ａに供給される。このＩＦフィルタおよび増幅器７６ａの機能は受信したＩＦ信号をフィルタ処理して増幅することである。さらに、ＩＦフィルタおよび増幅器７６ａはこれに供給されるゲイン制御信号に基づいてフィルタ処理した信号のゲインを増加する。
【０１１９】
次いで、増幅されフィルタ処理されたＩＦ信号はＩ／Ｑ復調器７８ａに送られる。このＩ／Ｑ復調器７８ａは同相および直交位相復調器であり、ベースバンド周波数信号を出力として生じる。なお、入力信号の復調は温度補償水晶発振器８２から供給されるＩＦ周波数信号に基づいて行われる。その後、前記ベースバンド周波数信号はＲＲＣ  ＭＦ８０ａに供給される。このＲＲＣ  ＭＦ８０ａは累乗根（ｒｏｏｔ  ｒａｉｓｅｄ）余弦波信号適合フィルタであり、その出力は、キャリヤ位相エラーのない場合において、信号の同相および直交位相成分の各々に対する正または負のインパルス信号となる。なお、前記同相および直交位相成分は複素信号から構成される。
【０１２０】
同様に、アンテナ２６ｂからの信号は同一の第２の回路に沿って供給される。
【０１２１】
まず、アンテナ２６ｂからの信号はＲＦフィルタおよびＬＮＡ回路７０ｂに送られる。次いで、このＲＦおよびＬＮＡ回路７０ｂからの出力はＲＦ−ＩＦダウンコンバータ７２ｂに供給される。さらに、周波数合成器７４により発生された差周波数がＲＦ−ＩＦダウンコンバータ７２ｂに送られる。その後、ＲＦ−ＩＦダウンコンバータ７２ｂの出力がＩＦフィルタおよび増幅器７６ｂに供給され、そのゲインもまた、ＩＦフィルタおよび増幅器７６ａに供給されるものと同一のゲイン制御信号により制御される。
【０１２２】
次いで、ＩＦフィルタおよび増幅器７６ｂからの信号はＩＦ  Ｉ／Ｑ復調器７８ｂにより同相および直交位相の復調処理を受ける。この同相および直交位相の復調処理は温度補償水晶発振器８２から供給されるＩＦ周波数信号に基づいて行われる。その後、ＩＦ  Ｉ／Ｑ復調器７８ｂの出力はＲＲＣ  ＭＦ回路８０ｂに送られる。
【０１２３】
送信状態においては、「拡散」データ信号（後に詳述する）における同相および直交位相成分に対応する±１の２値信号がＲＲＣフィルタ８４に供給される。
【０１２４】
この入力信号が＋１または−１であるとき、ＲＲＣ８４はそれぞれ正または負の累乗根余弦波信号を発生する。その後、このＲＲＣフィルタ８４の出力はＲＦ  Ｉ／Ｑ変調器８６に送られ、この変調器は前記累乗根余弦波信号を送信用の無線周波数変調信号に直接変換する。一方、変調するべく選択される無線周波数信号を決定する周波数合成器７４の出力と変調におけるＲＦ周波数を決定するＴＣＸＯ８２の出力がミキサ８８に供給される。このミキサ８８の出力がＲＦ  Ｉ／Ｑ変調器８６に送られて、ＲＲＣフィルタ８４の出力により変調される。
【０１２５】
さらに、ＲＦ  Ｉ／Ｑ変調器８６の出力は、増幅部分が上記ゲイン制御信号により制御されるゲインを有するＲＦフィルタおよび増幅器９０に供給される。その後、ＲＦフィルタおよび増幅器９０の出力はアンテナ２６ａからの送信のためにＲＦ線形増幅器９２ａに送られる。加えて、ＲＦフィルタおよび増幅器９０の出力は遅延回路９４による「チップ」時間Ｔｃの遅延後にアンテナ２６ａを介する送信のために第２ＲＦ線形増幅器９２ｂに供給される。このように２種類の信号（一の信号は他の信号から遅延により得られる）が生成され、これらは遠隔ユニット４０に送られて組み合わされる。この場合、２種類の信号は遅延されているので、単一アンテナによる遠隔ユニット４０での受信が可能である。
【０１２６】
周波数合成器７４はＲＦおよびＩＦ周波数の間の差周波数を発生する。この差周波数は合成器７４に供給される周波数選択信号により変化する。而して、周波数合成器７４はすべての周波数帯域にわたって動作する。この成器７４が前記差周波数（ＲＦ−ＩＦ変換器７２に供給される）と送信用に選択されるＲＦ周波数の双方を発生でき、かつ、これらの信号を速やかに切り替えることが可能である場合、ミキサ８８は不要である。また、このような場合は、合成器７４の選択ＲＦ周波数出力がＲＦ  Ｉ／Ｑ変調器８６に直接供給できる。
【０１２７】
第４図は遠隔トランシーバユニット５０のＲＦ／ＩＦアナログユニット５６の詳細ブロック図である。ＲＦ／ＩＦアナログユニット３６と同様に、ＲＦ／ＩＦアナログユニット５６は信号を受信するためのアンテナ５８ａまたは５８ｂから構成される。この場合、受信信号は、受信ＲＦ信号をフィルタ処理し増幅するためのＲＦフィルタおよび低ノイズ増幅器７０に供給される。さらに、ＲＦフィルタおよびＬＮＡ回路７０から信号がＲＦ−ＩＦダウンコンバータ７２に供給される。このＲＦ−ＩＦダウンコンバータ７２は受信ＲＦ信号を周波数合成器７４により発生された差周波数信号に基づいて中間周波数信号に変換する。なお、周波数合成器７４により発生される差周波数信号は周波数選択信号により選択できる。その後、ＲＦ−ＩＦダウンコンバータ７２から、ＩＦ信号が、ゲインをゲイン制御信号により制御されるＩＦフィルタおよび増幅器７６に送られる。次いで、このＩＦフィルタおよび増幅器７６の出力がＩＦ  Ｉ／Ｑ復調器７８に供給される。
【０１２８】
このＩＦ  Ｉ／Ｑ復調器７８はまた温度補償水晶発振器８２により発生されたＩＦ周波数信号を受け取る。その後、このＩＦ  Ｉ／Ｑ復調器７８により復調された同相および直交位相信号がＲＲＣ適合フィルタ８０に送られる。このＲＲＣ適合フィルタ８０の出力は、キャリヤ位相エラーが存在しない場合、信号の同相および直交位相成分の各々に対応して±１の２値信号を表現する正または負のインパルスとなる。
【０１２９】
また、ＲＦ／ＩＦアナログユニット５６の送信部はベースバンド処理ユニット２８ａからの「拡散」信号を受け取る。この信号はＲＲＣフィルタ８４に送られ、このフィルタ８４は上記の「拡散」信号における±１の２値の同相または直交位相成分に対応して発生される正または負の累乗根余弦波信号を出力する。その後、ＲＲＣフィルタ８４の出力信号がＲＦ  Ｉ／Ｑ変調器８６に供給される。また、発振器８２の出力および周波数合成器７４の出力がミキサ８８に送られ、このミキサはＲＦ  Ｉ／Ｑ変調器８６に供給されるに要するＲＦ変調信号を発生する。而して、ＲＦ  Ｉ／Ｑ変調器８６の出力はＲＦフィルタおよび増幅器９０に供給されるＲＦ変調信号となる。さらに、ＲＦフィルタおよび増幅器９０はゲインがゲイン制御信号により制御される増幅器を備えている。その後、このＲＦフィルタおよび増幅器９０の出力はＲＦ線形増幅器９２に送られ、さらに、送信アンテナ５８ｂに送られる。
【０１３０】
第５ａ図ないし５ｃ図は上記の待機および同期ユニット３４の詳細なブロック図である。この待機および同期ユニット３４は信号を捕捉し検証する部分（第５ａ図）、信号を同期化する部分（第５ｂ図）および信号を検出する部分（第５ｃ図）から構成されている。
【０１３１】
すなわち、第５ａ図には、待機および同期化ユニット３４の捕捉および検証部１００が示されている。この捕捉および検証部１００は上記ＲＲＣ  ＭＦ回路８０の出力をその入力として受け取るプレアンブル適合フィルタ１０２から構成される。このプレアンブル適合フィルタ回路１０２の機能はベースユニット３４により発生したＳＹＮＣ信号のプレアンブル部分または遠隔ユニットにより発生したＰＡ１信号のプレアンブル部分（以下に詳述する）を検出することである。このプレアンブル適合フィルタ回路１０２の出力はエネルギー検出回路１０４に送られる。このエネルギー検出回路１０４は上記の同相および直交位相成分から信号の大きさを得るべく動作する。次いで、エネルギー検出回路１０４の出力は閾値検出回路１０６に送られる。この閾値検出回路１０６はプレアンブル信号の存在の有無を検出するべく動作する。一般に、閾値は最初は誤認を防ぐために高めに設定されており、その後、検出確率を高めるべく低めに設定される。さらに、閾値検出回路１０６の出力は検証カウンタ１０８に供給される。この検証カウンタ１０８は閾値検出回路に対して随意的にフィードバックすることが可能であり、閾値検出回路をフィードバックループ内において制御することができる。検証カウンタ１０８の出力はイネーブル信号であり、待機および同期ユニット３４の他の成分において使用される。例えば、上記ＲＦ／ＩＦアナログユニット３６または５６により受け取られる信号がコレクト信号である場合、イネーブル信号はハイ（ｈｉｇｈ）になる。
【０１３２】
第５ｂ図は待機および同期ユニット３４の同期化部分１２０を示している。同期化部分１２０は疑似ランダム（ＰＮ）コード発生器１３４から成り、この発生器はコード選択信号をその入力として受け取る。このＰＮコード発生器１３４はコード選択信号により決定されるＰＮコードを発生する。加えて、前記発生器は上記コード選択信号により選択されるコードよりも１／２「チップ」時間だけ位相が早い第１複素乗算器１２２ａに供給されるコードを発生する。ＰＮコード発生器１３４はまた上記コード選択信号により選択されるコードよりも１／２「チップ」時間だけ位相が遅い第２複素乗算器１２２ｂに供給されるコードを発生する。
【０１３３】
上記ＲＲＣ適合フィルタ回路８０の出力はこれら第１および第２複素乗算器１２２ａおよび１２２ｂにそれぞれ供給される。さらに、複素乗算器１２２ａおよび１２２ｂの出力は低域フィルタ１２４ａおよび１２４ｂにそれぞれ送られる。
【０１３４】
その後、低域フィルタ１２４ａおよび１２４ｂの出力はエネルギー検出回路１２６ａおよび１２６ｂにそれぞれ供給される。この低域フィルタとエネルギー検出回路１２６（ａおよびｂ）は同相および直交位相成分からの信号の大きさを把握するべく機能する。次いで、エネルギー検出回路１２６ａおよび１２６ｂの出力は比較器１２８に供給される。比較器１２８の出力は差動信号であり、ループフィルタ１３０に送られる。さらに、上記検証ユニット１００からのイネーブル信号もループフィルタ１３０に供給される。このループフィルタはイネーブル信号がハイであるとき作用する。さらに、ループフィルタ１３０の出力は制御クロック１３２に送られた後、ＰＮコード発生器１３４に戻る。このようにして、ＰＮコード発生器１３４は遅延ロック処理されたループにより同期状態に維持される。低域フィルタ１２４（ａおよびｂ）はビットレートの近傍の帯域幅を有しており、積分およびダンプ回路として備えることもできる。すなわち、積分およびダンプ回路は低域フィルタの簡単な実施態様の一例である。また、制御クロック１３２はシステムクロック３５を駆動する。
【０１３５】
第５ｃ図は待機および同期ユニット３４の変調および復調部１４０を示している。この変調および復調部１４０は上記ＲＲＣ適合フィルタ回路８０から信号を受け取る。この信号はさらに第１複素乗算器１４２ａに送られる。上記ＰＮコード発生器１３４の出力はこの第１複素乗算器１４２ａにも送られる。さらに、第１複素乗算器１４２ａの出力は第１低域フィルタ１４４ａに供給される。次いで、第１低域フィルタ１４４ａから信号が第１の１ビット遅延回路１４６ａに送られる。その後、この第１１ビット遅延回路１４６ａの出力は上記低域フィルタ１４４ａの出力が供給される第１共役乗算器１４８ａに送られる。さらに、第１共役乗算器１４８ａの出力はマルチパス組合せ器１５０に供給される。その後、マルチパス組合せ器１５０から、信号が閾値検出器１５２に送られ、この検出器は２値データ信号を発生する。
【０１３６】
ＲＲＣ  ＭＦ回路８０からの信号はまた第２複素乗算器１４２ｂから成る第２経路にも送られ、この乗算器にはさらにＰＮコード発生器１３４の出力も供給される。この第２複素乗算器１４２ｂの出力は第２低域フィルタ１４４ｂに送られる。さらに、第２低域フィルタ１４４ｂの出力は第２の１ビット遅延回路１４６ｂに供給される。その後、１ビット遅延回路１４６ｂの出力は第２共役乗算器１４８ｂに送られ、この共役乗算器には第２低域フィルタ１４４ｂの出力も供給される。次いで、この第２共役乗算器１４８ｂの出力は上記のマルチパス組合せ器１５０に送られる。すなわち、待機および同期ユニット３４がベースユニットトランシーバ３０のＲＦ／ＩＦアナログユニット３６とともに使用される場合、２種のＲＲＣ  ＭＦ回路８０ａおよび８０ｂからの信号のための２種の経路が与えられる。また、待機および同期ユニット３４が遠隔ユニットトランシーバ５０のＲＦ／ＩＦアナログユニット５６とともに使用される場合、ベースユニット１０が単一チップ分だけ相互間で遅延される２種の信号を送信すると、上記のマルチパス組合せ器１５０が使用される。
【０１３７】
データ検出部１４０はまた上記ベースバンド処理ユニット２８ａから２値データを受け取る差動エンコーダ１６０から構成されている。この差動エンコーダ１６０の出力は複素乗算器１６２に送られ、この乗算器にはＰＮコード発生器１３４の出力も供給される。複素乗算器１６２の出力は「拡散」信号であり、ＲＦ／ＩＦアナログユニット３６または５６による送信のためにＲＲＣフィルタ８４に送られる。
【０１３８】
ベースバンド処理ユニット２８は捕捉および検証ユニット（第５ａ図示）、同期化ユニット（第５ｂ図示）およびデータ検出ユニット１４０（第５ｃ図示）から構成されている点で待機および同期ユニット３４と類似している。また、異なる点は、後に説明するが、ベースバンド処理ユニットが遠隔ユニット４０とベースユニット１０とが連絡している間に動作することである。これに対して、待機および同期ユニット３４は遠隔ユニット４０が待機モードにある時にのみ動作する。ただし、ベースバンド処理ユニット２８ａの種々の成分が待機および同期ユニット３４と同一ではないにしても類似しているので、遠隔ユニット４０内におけるベースバンド処理ユニット２８ａと待機および同期ユニット３４は単一のユニットに組合せることが可能である。
【０１３９】
また、音声／データプロセッサ３８ａを周知のＣＯＤＥＣ標準とすることができる。したがって、音声／データプロセッサ３８ａの音声プロセッサ部分をＡＤＰＣＭプロセッサとすることが可能である。加えて、後述するように、遠隔ユニット４０やベースユニット１０の各製造者は専有の音声コードを供給することができる。
【０１４０】
また、プロトコルおよびコントロールユニット５２はプログラムを記憶してこれを実行し得るマイクロコンピュータである。加えて、このユニットはシステムクロック５４または３５からの信号を受け取り、周波数選択信号、コード選択信号およびゲイン制御信号等の必要な制御信号を発生する。
【０１４１】
第６図はインターフェイスおよびマルチプレクサ１８のブロック図である。上述の如く、インターフェイスおよびマルチプレクサ４４はインターフェイスおよびマルチプレクサ１８と類似している。ただし、インターフェイスおよびマルチプレクサ１８はＰＳＴＮ／ＩＳＤＮインターフェイス１２に接続して電話ネットワークの中央処理局と連絡している点が異なる。
【０１４２】
インターフェイス１８はマルチプレクサ１８０から成り、このマルチプレクサではＰＳＴＮ／ＩＳＤＮインターフェイス１２との信号のやりとりが行われる。
【０１４３】
このマルチプレクサ１８０はスイッチマトリクス１８２に信号を出力する。すなわち、マルチプレクサ１８０、データ端末１６およびスピーカホーン端末１４からの信号はすべてスイッチマトリクス１８２に送られる。このスイッチマトリクス１８２は、名称が示す通り、音声／データプロセッサ３８ａに供給される信号の切り替えを行うスイッチである。
【０１４４】
スイッチマトリクス１８２は音声／データプロセッサ３８ａをデータ端末１６またはスピーカホーン端末１４のいずれかに接続して遠隔ユニット４０との局所接続を行うか、あるいは、ＰＳＴＮ／ＩＳＤＮインターフェイス１２に接続して遠隔ユニット４０を介する電話ネットワークとの接続を行う。さらに、スイッチマトリクス１８２はデータ端末１６またはスピーカホーン端末１４を接続してベースユニット１０を介する電話ネットワークとの接続を行うこともできる。
【０１４５】
また、インターフェイスおよびマルチプレクサ１８は、制御信号をマルチプレクサ１８０に供給してその出力（ＰＳＴＮまたはＩＳＤＮ信号のいずれか）を選択し、また、スイッチマトリクス１８２に供給して音声／データプロセッサ３８ａに信号を送るコントロールユニット１８４から構成される。このコントロールユニットは上述のアプリケーションコントローラ２２から命令を受け取る。さらに、インターフェイスおよびマルチプレクサ１８は音調発生信号（ＰＳＴＮラインに対応）または信号メッセージ（ＩＳＤＮライン対応）をアプリケーションコントローラ２２から直接受け取る。
【０１４６】
第７図はアプリケーションコントローラ２２のブロック図である。アプリケーションコントローラ２２はアプリケーションプロセッサ１９０から構成される。
【０１４７】
ベースユニットパネル２０または遠隔ユニットパネル４６からのデータはこのアプリケーションプロセッサ１９０に受け取られる。すなわち、パネル２０または４６のキーによる入力に対応して、アプリケーションプロセッサ１９０は信号をＰＳＴＮ／ＩＳＤＮインターフェイスに送り、ＤＴＭＦ／パルス発生器（ＰＳＴＮライン対応）の適当な行または列を活性化するか、あるいは、信号メッセージ（ＩＳＤＮライン対応）をフォーマット処理する。いずれの場合も、信号はインターフェイスおよびマルチプレクサ１８のスイッチマトリクス１８２に送られる。
【０１４８】
外向けの呼び出しの場合、アプリケーションプロセッサ１９０は上記ＢＳパネル２０からのオフーフック信号かプロトコルおよびコントロールユニット３２からのオフーフックメッセージのいずれかを呼び出しを要求している遠隔ユニット４０に対応して受け取る。次いで、アプリケーションプロセッサ１９０はインターフェイスおよびマルチプレクサ１８を介してＰＳＴＮ／ＩＳＤＮインターフェイス１２に通知して適当な信号（ＰＳＴＮライン対応）またはメッセージ（ＩＳＤＮライン対応）を発生する。ダイアル数字の通知の場合も同様の手順が用いられる。
【０１４９】
内向けの呼び出しの場合、ＰＳＴＮ／ＩＳＤＮ１２は聞き取り可能な通報音を発生する。この場合、通報メッセージがインターフェイスおよびマルチプレクサ１８とアプリケーションコントローラ２２を介してプロトコルおよびコントロールユニット３２に送られて、遠隔ユニット４０の通報処理が行われる。その後、呼び出しが応答されると、上述のオフーフック動作が行われる。
【０１５０】
（動作）
次に、上述のベースユニット１０と一以上の遠隔ユニット４０とから成る通信システム８の動作について説明する。上述の如く、システム８はデジタル無線電話として特に好適であり、９０２ＭＨｚから９２８ＭＨｚの間の電磁放射スペクトル域における動作に適している。この領域を第８図に示す。
【０１５１】
この９０２ＭＨｚから９２８ＭＨｚの周波数スペクトル域は複数の周波数チャンネルに分けられ、その各々は約１．３ＭＨｚの帯域幅を有する。したがって、約２０の周波数チャンネルを選択することができる。また、ベースユニット１０とこれに付属するすべての遠隔ユニット４０との間の通信がこれら選択される周波数チャンネルの一において有効である。
【０１５２】
さらに、選択された周波数チャンネル内においては、ベースユニット１０とこれに付属する遠隔ユニット４０は疑似ランダムコードまたはＣＤＭＡを用いるＰＮコードを介して通信し合う。而して、例えば、ベースユニット１０が第１の遠隔ユニット４０ａと通信している場合、ベースユニット１０は選択される周波数チャンネルにおいて送信および受信を行い、第１のＰＮコードを介して遠隔ユニット４０ａと通信する。さらに、ベースユニット１０が第２の遠隔ユニット４０ｂと同時通信している場合、ベースユニット１０は同一の選択周波数チャンネルにおいて異なるＰＮコードにより通信する。
【０１５３】
また、ベースユニット１０と各遠隔ユニット４０との間の通信がＴＤＭＡ技法により行われる。第９図はベースユニット１０から一以上の遠隔ユニット４０への信号の送信および受信を行う場合のタイミングを示している。すなわち、選択周波数チャンネル内において、ベースユニット１０は共通信号チャンネル（ＣＳＣ−Ｂ）部から成る時間部分において送信し、保護時間およびユーザチャンネル（ＵＣ−Ｂ）部がこれに続き、さらに、保護時間がこれに続いている。次いで、遠隔ユニット４０の各々による送信が一以上の遠隔ユニット４０により分割された共通信号チャンネル（ＣＳＣ−Ｒ）部から成る時間域において行われ、さらに保護時間、ユーザチャンネル（ＵＣ−Ｒ）部、そして、保護時間が続く。このような動作により１フレームが構成される。その後、このようなタイミングのシーケンスが繰り返されて、ベースユニット１０がその時間域において送信し、次いで、一以上の遠隔ユニット４０がその時間域において送信する。
【０１５４】
第１０図はベースユニットにより送信される種々の信号のタイミングを示している。この場合、ＣＳＣ−Ｂ信号はさらにＳＹＮＣ部とＤＡＴＡ部に分割されている。また、このＳＹＮＣ部においては、信号がさらにＳＷ１およびＳＷ２信号に分割されている。ＳＷ１信号は同期化信号である。また、このＳＷ１信号は、ベースユニット１０に特異的でありすべての正当な遠隔ユニット４０により知られるＰＮコードに基づいて発生される。さらに、後述するが、ＳＷ２信号はＳＷ１と同一かあるいはＳＷ１の逆信号である。さらに、ＣＳＣ−ＢのＤＡＴＡ部は、ベースユニット１０がＰＮコードを遠隔ユニット４０に割り当ててベースユニット１０と遠隔ユニット４０との間の通信をユーザチャンネル（ＵＣ−ＢおよびＵＣ−Ｒ）において行う等の、信号データを含むことができる。
【０１５５】
また、ベースユニット１０により送信される信号のＵＣ−Ｂ部においては、ＵＣ−Ｂ信号がさらにユーザ信号チャンネル（ＵＳＣ−Ｂ）とユーザベアラチャンネル（ＵＢＣ−Ｂ）とに分割されている。ＵＳＣ−Ｂはさらにパワー制御等の制御情報を含むチャンネルコントロールメッセージ（ＣＣＭ）部と信号メッセージ等の制御信号情報を含むデータ領域とに分割される。デジタル無線電話の場合、信号メッセージはダイアル数となる。また、ＵＢＣ−Ｂ部はベースユニット１０から遠隔ユニット４０に送信されるメッセージまたはデータを含んでいる。
【０１５６】
好ましい実施態様においては、遠隔ユニット４０とベースユニット１０との間のメッセージが多くのフレームにまたがり、以下のような定義がメッセージの境界を画するために用いられる。すなわち、上述の如きＣＳＣ−Ｂ、ＵＣ−Ｂ、ＣＳＣ−ＲおよびＵＣ−Ｒから成る通常フレーム、８個の通常フレームから成るマイナスーパーフレームおよび１６個の通常フレームから成るメジャースーパーフレームがある。
【０１５７】
ＳＷ１およびＳＷ２信号の相対極性は以下のようにこの通常フレームとマイナスーパーフレームとのタイミングを区別する。
【０１５８】
ＳＷ１      ＳＷ２          フレームの種類
０          ０            通常
０          １            マイナースーパー
而して、ＣＳＣ−ＢのＳＹＮＣ部は「００」のフレーム単位から成り、また、「０１」の８個のフレーム単位から成る。メジャーフレームの開始はＵＳＣ−ＢのＤＡＴＡ部におけるベースユニット１０によるフレーム番号を含むメッセージの送信により行われる。
【０１５９】
第１１図は各遠隔ユニットにより送信されるＩＦ周波数信号部分の詳細なタイミングである。上記のＣＳＣ−Ｒ部はＰＡ１部およびＣＳ−Ｒ部に分割される。
【０１６０】
このＰＡ１部は同期化情報用に使用され、ＣＳ−Ｒ部は制御チャンネルとして機能する。さらに、上記ＵＣ−Ｒ部はＰＡ２部、ＵＳＣ−Ｒ部およびＵＢＣ−Ｒ部に分割される。このＰＡ２部は同期化情報用に使用され、また、ＵＳＣ−Ｒ部はその領域が信号の性質および信号メッセージ等の制御情報を含む点でＵＳＣ−Ｂ部と同様である。さらに、ＵＢＣ−Ｒ部はベースユニット１０により送信されるＵＢＣ−Ｂ部と同様であり、また、ＵＢＣ−Ｒ部は遠隔ユニット４０によりベースユニットに送信されるデータまたはメッセージである。
【０１６１】
（通信リンクの設定）
ここで、一例として、ベースユニット１０が単一の遠隔ユニット４０と通信する場合を考える。この場合のベースユニット１０と遠隔ユニット４０との間の通信リンクの設定は以下のようである。すなわち、ベースユニット１０は割り当てられた時間スロットのＣＳＣ−Ｂ部においてＳＹＮＣ信号（ＳＷ１およびＳＷ２から成る）を定期的に送信する。このことは選択された周波数の全体わたって言える。さらに、一例として、周波数が４番目の周波数チャンネルにおいて選択された場合を考える。この場合も、ＳＹＮＣ信号はＰＮコード化される（簡単のために、コードのインデクスを０とする）。而して、ＳＹＮＣ信号（ＳＷ１およびＳＷ２の両方）はベースユニット１０によりＰＮコードのインデクス０でコード化されて送信される。
【０１６２】
周知の如く、ＰＮコードは一連のチップである。好ましい実施態様においては、ＳＹＮＣ信号に対応するＰＮコードは８×３２＝２５６チップの長さを有しており、このうちの１２８チップが同相信号に対応し、残りの１２８チップが直交位相信号に対応する。すなわち、各位相に対して１ビット当たり１６チップが対応する。而して、各々付随のインデクスを有するＳＹＮＣ信号に対して２２５６ 個の可能なＰＮコードの組み合わせが存在する。例えば、０に等しいＰＮコードのインデクスは「１００・・・０１」であるＰＮコードに対応する。
【０１６３】
遠隔ユニットは３種の可能な状態、すなわち、オン状態、待機およびオフ状態の一を採ることができる。
【０１６４】
遠隔ユニット４０がオン状態になると、このユニットはベースユニットのＰＮコード、すなわち、この場合０のインデクスに等しいインデクスを有するＰＮコードを持つ信号を検索するデフォールト状態になる。次いで、遠隔ユニット４０は０に等しい周波数チャンネルにおいて周波数スペクトルの走査を開始する。
【０１６５】
このことは上述のプロトコルおよびコントロールユニット５２により行われ、ユニット５２は周波数選択信号を発生して上記合成器７４に差周波数を発生させ、０に等しいチャンネルにおけるＲＦ周波数が中間周波数に変換されるようにする。プロトコルおよびコントロールユニット５２はまたコード選択信号を発生して０のインデクスに等しいＰＮコードがＳＳＵ３４のＰＮコード発生器１３４から発生されるようにする。このような状態になると、上記のイネーブル信号が発生される。しかしながら、ＳＹＮＣ信号が所定時間後に見い出されないと、ＰＣＵ５２は別の周波数選択信号を発生して、１に等しい周波数チャンネルに移す。
【０１６６】
このようにして、遠隔ユニット４０が４に等しい周波数チャンネルに到達すると、ＳＹＮＣ信号が見い出され、遠隔ユニット４０はＣＳＣ−Ｒ時間フレームのＣＳ−Ｒ部における４に等しい周波数チャンネルに要求信号メッセージを送信する。このようなＳＹＮＣ信号の捕捉を認識した上での遠隔ユニット４０による要求信号メッセージの送信はまた０に等しいインデクスのＰＮコードから派生したＰＮコードにおいてコード化される。
【０１６７】
遠隔ユニット４０からの要求信号メッセージの受信に応じて、すなわち、ベースユニット１０と遠隔ユニット４０との間のメッセージまたはデータ交換の間、ベースユニット１０はＵＣ送信において使用されるＰＮコードに対して割り当て信号メッセージを送信する。このようなベースユニット１０による割り当て信号メッセージの送信はＣＳＣ−Ｂタイミング部分のＤＡＴＡ部において行われ、０に等しいインデクスのＰＮコードにコード化される。而して、例えば、ベースユニット１０が遠隔ユニット４０から要求信号メッセージを受け取ると、ベースユニット１０は次の通信が１０に等しいインデクスのＰＮコードを用いて処理されるように命令を出す。データ通信の間に用いられるＰＮコードは上述のＳＹＮＣ信号の場合のＰＮコードとは異なる構造を有することができる。好ましい実施態様においては、ＰＮコードは６５５３５チップの長さであり、同相および直交位相信号に対応するチップが交互に存在する。なお、各位相には１ビット当たり１６チップが存在する。その後、１０に等しいインデクスのＰＮコードメッセージは０に等しいインデクスのＰＮコードによりコード化され、ＣＳＣ−Ｂ時間スロット、特にＤＡＴＡ時間スロット上に送信される。（なお、ベースユニット１０が同時に別の遠隔ユニット４０と通信している場合は、遠隔ユニット４０の通信には異なるＰＮコードが割り当てられる。）
遠隔ユニット４０はベースユニット１０からの信号をＣＳＣ−Ｂ時間スロットのＤＡＴＡ部受け取ってその情報を復号する。その後、ベースユニット１０がそのＵＣ−Ｂ部分において送信し、また、遠隔ユニット４０がそのＵＣ−Ｒ部分において送信する状態で、ベースユニット１０と遠隔ユニット４０との間の通信のメッセージ部分が１０に等しいインデクスのＰＮコードを用いて処理される。
【０１６８】
さらに、オフ状態から待機状態に移る過程においては、上記ＰＣＵ５２は合成器７４に対して周波数選択信号を発生して周波数チャンネル（０−２０）を走査し、また、ＳＳＵ３４のＰＮコード発生器１３４に対してコード選択信号を送って０に等しいインデクスのＰＮを検索する。この周波数選択信号は上記プレアンブルＭＦ１０２がＳＹＮＣ信号に適合するものを見い出さない場合に変更される。このようにして、ＳＹＮＣ信号が見つかると、遠隔ユニット４０は待機状態に維持され、ＳＳＵ３４のみが動作する。
【０１６９】
ベースユニット１０と複数の遠隔ユニット４０との間の通信もまた上述と同様である。すなわち、遠隔ユニット４０が通信処理を開始する必要がある場合、または、ユニット４０が待機状態にある場合、このユニットは上記ＳＹＮＣパルスを検索しながら周波数チャンネルを走査する。その後、ユニット４０はＣＳＣ−ＲのＣＳ−Ｒ部分に送信する。また、ベースユニット１０はＣＳＣ−Ｂタイミング部分のＤＡＴＡ部において特異的なＰＮコードインデクスを有する割り当て信号メッセージを送信する。ベースユニット１０により割り当てられたＰＮコードはＵＣ−Ｂ部分およびＵＣ−Ｒ部分の両方の送信において用いられる。その結果、上述の如く、各遠隔ユニット４０は共通の信号チャンネル部分、すなわちＣＳＣ−Ｒ部分を一時的に得る。その後、他の遠隔ユニット４０においては、ＣＳＣ−Ｒ部分上のベースユニット１０への信号送信が自由になる。すなわち、遠隔ユニット４０がそのＰＮコードを割り当てられると、ベースユニット１０と遠隔ユニット４０との間の割り当てられたＰＮコード上の通信は同一のスロット時間における他の遠隔ユニット４０とベースユニット１０との間の通信に干渉しなくなる（これらのＰＮコードが異なるために）。
【０１７０】
（干渉）
動作のために選択される周波数スペクトル（９０２−９２８ＭＨｚ）がマイクロ波装置等の他のＲＦ発生源からの干渉を受けやすいために、ベースユニット１０と一以上の遠隔ユニット４０との間の通信リンクが妨害されやすい。しかしながら、上述したように、ベースユニット１０とその遠隔ユニット４０のすべてとの間の通信は単一の選択周波数チャンネルにおいて行われる。而して、ベースユニット１０が一以上の遠隔ユニット４０からの信号において過剰の干渉を検出した場合、ベースユニット１０はこれらの遠隔ユニット４０の各々に対してそのＵＳＣ−Ｂ部分のＤＡＴＡ部における信号メッセージを送信して別の周波数チャンネルに移す。この信号メッセージは切り替え時期についての同期化またはクロック情報を含んでいる。このようにして遠隔ユニット４０の各々への受信が行われると、ＰＣＵ５２は新規の選択周波数チャンネルに移動するための周波数選択信号を発生する。
【０１７１】
（通信リンクの損失）
上述のような機構によって、干渉を回避し通信リンクの継続を行うための一の周波数チャンネルから他の周波数チャンネルへの通信の移動が行われるが、予期しない程に大きな干渉信号等により、ベースユニット１０と一以上の遠隔ユニット４０との間の通信リンクが影響を受ける場合がある。このような場合、ベースユニット１０とその一以上の遠隔ユニット４０との間の通信リンクを再設定する手法を確立することが必要になる。
【０１７２】
そのような通信リンクの設定の一部として、ベースユニット１０と遠隔ユニット４０がそれぞれＵＢＣ−Ｂ部およびＵＢＣ−Ｒ部において通信する前に、ベースユニット１０は遠隔ユニット４０の各々に対して通信の中断の場合において使用する通信チャンネルのテーブルを送信する。すなわち、このチャンネルのテーブルはベースユニット１０からＵＢＣ−ＢのＤＡＴＡ部を介して遠隔ユニット４０に通信される。さらに、チャンネルのテーブルは周波数チャンネルとＰＮコードのインデクスの両方を含むリストから成る。
【０１７３】
また、チャンネルのテーブルは、例えば０に等しくないＰＮコードインデクス等の選択されたＰＮコードインデクスに従ってコード化される。さらに、チャンネルのテーブルはベースユニット１０によりあたかも「データ」の別の部分の如く送信される。また、チャンネルのテーブルを受け取る遠隔ユニット４０はチャンネルのテーブルを割り当てられたＰＮコードに従って復号する。その後、復号処理されたチャンネルテーブルの信号がプロトコルおよびコントロールユニット５２の記憶部に記憶される。
【０１７４】
なお、通信が中断した場合は、遠隔ユニット４０はＳＳＵ３４に対して内部的に発生するシステムクロック３５に基づいてクロック信号のカウントを継続するように動作する。すなわち、システムクロック３５はベースユニット１０から送信されるＳＹＮＣ信号の継続における同期に基づいてカウントを継続する。次いで、プロトコルおよびコントロールユニット５２がシステムクロック３５からタイミング信号を受け取る。つまり、マイクロコントローラであるプロトコルおよびコントロールユニット５２はこのクロック信号値に所定の数学的関数を適用する。このような遠隔ユニット４０により使用される数学的関数の一例として、ハッシュ（ｈａｓｈ）関数Ｈ（Ｔ）がある。つまり、ハッシュ関数Ｈ（Ｔ）は上記クロック信号から得られるフレーム番号Ｔをプログラム番号Ｈ（Ｔ）に写像する。このようなハッシュ関数Ｈ（Ｔ）の好ましい実施態様は以下の如く定義される：
Ｈ（Ｔ）＝［Ｒ（Ｔ）×Ｂ］この式において、［・・・］はフロア（ｆｌｏｏｒ）関数であるとともに、Ｒ（Ｔ）＝（（（Ｔ／８）×７）＋３）ｍｏｄ１６）／１６であり、領域（０，１）における疑似ランダム値である。
【０１７５】
さらに、Ｂはチャンネルのテーブルにおける記入の番号である。すなわち、Ｒ（Ｔ）は個数１６の最大長シーケンス発生成分に対応する種（ｓｅｅｄ）として上述のマイナスーパーフレーム番号Ｔ／８を採用し、これに７を掛け、次いで３を加え、さらに領域（０，１）における疑似ランダム値を得るべく規格化することにより得られる。
【０１７６】
而して、上記クロック信号値に対する遠隔ユニット４０による数学的関数の適用により、チャンネルテーブルにおける記入が行われる。その後、プロトコルおよびコントロールユニット５２は前記テーブルにおける選択された記入に付随する通信チャンネルを選択する。上述したように、選択された通信チャンネルのテーブルにおける記入はこれに付随する周波数チャンネルとＰＮコードインデクスとを含む。
【０１７７】
一方、ベースユニット１０はこの間にこれに付随するシステムクロック３５によりそのクロック信号の発生を継続する。而して、上述のプロトコルおよびコントロールユニット３２は通信チャンネルのテーブルにおける同一の記入を得るべくシステムクロック３５からのクロック信号と同一の値に対して同一の数学的関数を適用する。次いで、ベースユニット１０は前記テーブルにおける記入に付随する通信チャンネルを選択する。この結果、この通信チャンネルのテーブルにおける記入から選択される通信チャンネル上において通信処理が再設定される。
【０１７８】
（能力設定）
ベースユニット１０と一以上の遠隔ユニット４０との間の初期プロトコルの一部として、遠隔ユニット４０が時間スロットのＣＳＣ−Ｂ部分におけるＳＹＮＣ信号上にロックすると、前記ユニット４０はそのＣＳＣ−ＲにおけるＣＳ−Ｒ部分内の要求信号メッセージを送信する。その後、ベースユニット１０は、そのＣＳＣ−Ｂ時間スロットのＤＡＴＡ部分内に、ベースユニット１０との通信処理において遠隔ユニット４０により使用される特定ＰＮコードのインデクスを送信する。
【０１７９】
遠隔ユニット４０はこれを復号し、ベースユニット１０に対してその機能的能力のリストを送信するために選択されたＰＮコードを使用する。而して、遠隔ユニット４０は時間スロットＵＳＣ−Ｒ上に、例えばＰＮコード＝１０である、選択ＰＮコードにより符号化された機能的能力のリストを送信する。
【０１８０】
その後、ベースユニット１０はＵＳＣ−Ｒ時間スロット内にメッセージを受け取り、この信号を上記選択ＰＮコードに従って復号して、遠隔ユニット４０の機能的能力のリストを得る。次いで、ベースユニットは遠隔ユニット４０の機能的能力のリストと自分の機能的能力とを比較して共通の機能的能力の組み合わせを決定する。その後、ベースユニット１０は遠隔ユニット４０に対してそのＵＳＣ−Ｂ時間スロットのＤＡＴＡ部分上に選択ＰＮコードに従って符号化されたその共通の機能的能力の組み合わせのリストを送信する。このようにして、遠隔ユニット４０とベースユニット１０との間の通信が選択された周波数において選択ＰＮコードに従って共通の機能的能力の組み合わせを用いて行われる。
【０１８１】
遠隔ユニット４０およびベースユニット１０の機能的能力は会話デジタル符号化等の能力を含むことができる。この場合、異なる会話符号化技法（その一部は一般に知られる原理に基づき、またその他は特定の製造者に専有の原理に基づく）が有効であり、また、異なる製造者による遠隔ユニット４０が少なくとも共通の機能的能力に基づいて異なる製造者によるベースユニット１０と通信する能力を有することが望まれるために、通信リンクの設定の一部として、遠隔ユニット４０およびベースユニット１０が互いに共通の機能的能力を知得していることが望まれる。
【０１８２】
以下、ベースユニット１０と遠隔ユニット４０における会話コードに対応する機能的能力の一例を説明する。
【０１８３】
ベースユニット１０          遠隔ユニット４０
３２ＫｂｐｓＡＤＰＣＭ      ３２ＫｂｐｓＡＤＰＣＭ
３２Ｋｂｐｓエンハンスド
１６Ｋｂｐｓサブバンド      １６Ｋｂｐｓサブバンド
８ＫｂｐｓＣＥＬＰ          専有
遠隔ユニット４０による機能的能力のリストからわかるように、ベースユニット１０は上記のテーブルを比較して、対応する共通能力のリストに１６Ｋｂｐｓサブバンドおよび３２ＫｂｐｓＡＤＰＣＭが含まれることを決定する。この比較に基づいて、ベースユニット１０は上記のような機能的能力のリストを遠隔ユニット４０に送信し、通信が会話コードに対応する二つの機能的能力のいずれかを用いて行われる。
【０１８４】
このように、遠隔ユニット４０とベースユニット１０が共通の能力のリストを「協定する」能力を備えているので、ベースユニット１０または遠隔ユニット４０の会話コード化において専有権を有している製造者は他の製造者の遠隔ユニット４０またはベースユニット１０と、これら製造者の両方のユニットに備えられる少なくとも一の会話コード化機能能力における共通要素が存在する限り、通信を行うことが可能である。
【０１８５】
（パワー制御）
ベースユニット１０は複数の遠隔ユニット４０と通信することが可能であるが、このユニット１０が各遠隔ユニット４０の送信パワーについて制御されており、ベースユニット１０に受信される遠隔ユニット４０の各々からの信号強度がほぼ同一にして、これら遠隔ユニット４０のいずれか一が過剰パワーになったり他のユニットを支配することのないようにすることが望ましい。さらに、このようなパワー制御はマルチパスフェ−ジングや遮蔽ひずみを抑制する点で好ましい。
【０１８６】
なお、通信システム８においては、ベースユニット１０により送信される信号が遠隔ユニット４０により受信され、ベースユニット１０から受信した信号のパワーは遠隔ユニット４０におけるＢＰＵ２８ａの検出器１０４により計測される。次いで、遠隔ユニット４０における送信パワーが以下の式に従って制御される：
パワー＝Ａ＋（Ｂ−Ｃ）
ここで、Ａは遠隔ユニット４０により送信される信号におけるベースユニット１０により受信される所望のパワーを示している。
【０１８７】
また、Ｂはベースユニット１０により送信される信号のパワーを示しており、さらにＣはベースバンド処理ユニット２８ａの検出器１０４により計測された遠隔ユニット４０において受信される信号のパワーである。ＡおよびＢの値は遠隔ユニット４０の送信パワーを制御するためにベースユニット１０から遠隔ユニット４０に送信されるデータである。さらに、Ａはベースユニット１０の検出器１０４により計測された遠隔ユニット４０により送信される信号のベースユニット１０により受信される所望のパワーである。この値はベースユニット１０から遠隔ユニット４０に対してそのＵＳＣ−ＢのＤＡＴＡ部上に送信される値である。Ｂはベースユニット１０により送信される信号のパワーであり、これもベースユニット１０から遠隔ユニット４０に対してそのＵＳＣ−ＢのＤＡＴＡ部上に送信される値である。したがって、ＡおよびＢは遠隔ユニット４０にアプリオリに知られているか、あるいは、ベースユニット１０から遠隔ユニット４０に送信される信号メッセージの一部である。
【０１８８】
また、遠隔ユニット４０におけるプロトコルおよびコントロールユニット５２により発生されるゲイン制御信号は送信信号のパワーに影響するＲＦフィルタおよび増幅器９０のゲインを制御する。このゲイン制御されるＲＦ増幅器９０はモトローラ（Ｍｏｔｏｒｏｌａ）製の部品ＡＮ１０２５等の周知の構成を採ることができる。
【０１８９】
（データの符号化）
前述のように、ＵＣ−Ｂ部およびＵＣ−Ｒ部はＵＳＣおよびＵＢＣ部分から構成されている。したがって、ＵＣ−Ｂ時間スロットにおいては、信号ＵＳＣ−ＢおよびＵＢＣ−Ｂが送信され、ＵＳＣ−Ｂはパワー活性、呼び出し状態等の情報を含む制御信号部分であり、ＵＢＣ−Ｂはデータを含む部分となっている。同様に、ＵＣ−Ｒ部分においては、ＵＣ−ＲがＰＡ２およびＵＳＣ−Ｒ部分から構成されており、これらはＵＢＣ−Ｒをデータ部分とする制御信号となっている。
【０１９０】
これらのＵＣ−ＢおよびＵＣ−Ｒの制御信号部分はＵＣ−ＢおよびＵＣ−Ｒのデータ部に比して少量のデジタルデータを有するデジタルデータ流列である。制御信号部分の耐干渉能力をさらに高めるべくその部分を保護するために、ＵＣ−ＢおよびＵＣ−Ｒの双方の制御信号部分およびデータ部分はさらにデジタル符号化することが可能である。
【０１９１】
このようなデジタルデータの符号化は以下のように行う。すなわち、データ部分から各Ｎビットブロックが特定の「軽い」（ここで、「軽い（ｌｉｇｈｔ）」とは１の数が０の数よりも少ないことを意味する）Ｍビット信号に写像され、ＭはＮよりも大きく、Ｍビット信号における「１」の数はＭ／２よりも小さい。この軽いＭビット信号はＵＣ−ＢまたはＵＣ−Ｒの制御信号部からのビットが「０」である場合に送信されるが、ＵＣ−ＢまたはＵＣ−Ｒの制御信号部からのビットが「１」である場合は軽いＭビット信号の補数が送信される。
【０１９２】
チャンネルのコード化が最近の通信システムにおいて広まっているが、このようなチャンネルコードは雑音を含むチャンネル上の送信においてコード化したビット流を生成する情報の流れに冗長性を単に付加するものである。このようなチャンネルコードが好適に作成されると、このコード化により誘導される冗長性により送信ビットの一部の受信がエラーとなっても、デコーダが元の情報の流れを信頼性高く回復することができる。
【０１９３】
本発明による装置においては、上記コード化の目的は上述のＵＣ−ＢまたはＵＣ−Ｒ時間スロットの制御信号部分における送信エラーに対して最大の保護を提供し、かつ、ＵＣ−ＢまたはＵＣ−Ｒのデータ部分において最小の保護を与えることである。このようにすることにより、受信されるユニット（遠隔ユニット４０またはベースユニット１０）は低いエラー発生率の条件下において制御信号およびデータ信号の両方を回復することが可能になり、また、極めて高いエラー発生率の条件下において制御信号を回復することが可能になる。
【０１９４】
以下、上述のコード化技法の一例を図に基づいて説明する。まず、制御信号の単一ビットおよびデータの９６ビットを送信用の１２０ビットを有するコード化ビット流にコード化する。９６ビット語から１２０ビット語への写像は９６ビット語を３組の３２ビット語に分割することにより行われる。次いで、３２ビット語は各々軽い４０ビット語に写像される。さらに、これら３種の４０ビット語は連結されて軽い１２０ビット語を形成する。
【０１９５】
数学的に言えば、２３２はＣ（４０，１２）の組み合わせよりも小さいから、３２ビットのシーケンスは１２すなわち１２個の１を確実に含むハミングウエイト（Ｈａｍｍｉｎｇ  ｗｅｉｇｈｔ）を有する４０ビットのシーケンスに写像することができる。
【０１９６】
すなわち、データチャンネルからの３種の３２ビット入力語からそれぞれ写像した３種の４０ビット語は連結されてハミングウエイト３６の１２０ビット語となる。この場合、上記制御信号からの単一ビットが０であると、１２０ビット語が送り出される。また、制御信号からの単一ビットが１であると、１２０ビット語の補数が送り出され、そのウエイトは１２０−３６＝８４ビットの「１」から成る。
【０１９７】
このウエイトの差は８４−３６＝４８となり、「軽い」Ｍビット語が「重い」Ｍビット語と間違えられるか、あるいはその逆である前に、１２０ビット中の２４以上がエラーとなることを意味している。
【０１９８】
このような例では、いかなるチャンネルエラーもコード化したデータにおける１個の３２ビットの部分の損失を引き起こすという欠陥がある。この問題は正常単一流（１２７，１２０）のハミングコードを付加することにより改善できる。
【０１９９】
すなわち、７個の周期冗長性チェック（ＣＲＣ）ビットを１２０ビット語に付加することにより、１２７ビットブロックにおけるいかなる単一ビットエラーの補正も可能になる。このような改善を加えることにより、２ビットよりも小さい信号が雑音により変化した場合でも、デコード処理は制御信号およびデータ信号の両方において正しい結果を生じることが可能になる。
【図面の簡単な説明】
【０２００】
【図１】第１図は本発明のベースユニットのブロック図である。
【図２】第２図は本発明の遠隔ユニットのブロック図である。
【図３】第３図は第１図示のベースユニットのＲＦ／ＩＦアナログ部分の詳細なブロック図である。
【図４】第４図は第２図示の遠隔ユニットのＲＦ／ＩＦアナログ部分の詳細なブロック図である。
【図５ａ】第５ａ図は第１図示のベースユニットおよび第２図示の遠隔ユニットの待機および同期ユニットのブロック図の一部である。
【図５ｂ．ｃ】第５ｂ図ないし５ｃ図はそれぞれ第１図示のベースユニットおよび第２図示の遠隔ユニットの待機および同期ユニットのブロック図の一部である。
【図６】第６図は第１図示のベースユニットおよび第２図示の遠隔ユニットのインターフェイスおよびマルチプレクサ部分の詳細なブロック図である。
【図７】第７図は第１図示のベースユニットおよび第２図示の遠隔ユニットのアプリケーションコントローラ部分の詳細なブロック図である。
【図８】第８図は周波数スペクトルの概略図であり、この図で示される領域において本発明の通信システムの好ましい実施例が動作する。
【図９】第９図はベースユニットおよび遠隔ユニットの間の通信プロトコルにおけるタイミング図である。
【図１０】第１０図は第９図示の詳細なタイミング図であり、ベースユニットにより送信される部分を示している。
【図１１】第１１図は第９図示の詳細なタイミング図であり、遠隔ユニットにより送信される部分を示している。
【図１】
0003682058.tif 000002
【図２】
0003682058.tif 000003
【図３】
0003682058.tif 000004
【図４】
0003682058.tif 000005
【図５ａ】
0003682058.tif 000006
【図５ｂ．ｃ】
0003682058.tif 000007
【図６】
0003682058.tif 000008
【図７】
0003682058.tif 000009
【図８】
0003682058.tif 000010
【図９】
0003682058.tif 000011
【図１０】
0003682058.tif 000012
【図１１】
0003682058.tif 000013